(57)【要約】【課題】着信先電話機に着信履歴を残すだけの目的で短時間で切断を行なって、発信と切断を多数回繰り返す悪意の加入者の悪意の発信行為に課金することができて、善意の加入者の通信を妨害することがない交換装置を提供する。【解決手段】収容する電話機からの呼設定信号を検出した時に補助タイマを起動し、該電話機から応答確認信号を受信する前に該電話機から解放完了信号を受信した場合には、該解放完了信号を受信する迄に該補助タイマが計測した時間に対応して該電話機に対して課金し、該電話機から正常に応答確認信号を受信した場合には、該補助タイマをクリアすると共に、主タイマを起動して該電話機から正常に解放完了信号を受信する迄に該主タイマが計測した時間に対応して該電話機に対して課金する【選択図】      図１
2004179777.tif 000002
【特許請求の範囲】
【請求項１】
収容する電話機からの呼設定信号を検出した時に補助タイマを起動し、
該電話機から応答確認信号を受信する前に該電話機から解放完了信号を受信した場合には、
該解放完了信号を受信する迄に該補助タイマが計測した時間に対応して該電話機に対して課金し、
該電話機から正常に応答確認信号を受信した場合には、
該補助タイマをクリアすると共に、主タイマを起動して該電話機から正常に解放完了信号を受信する迄に該主タイマが計測した時間に対応して該電話機に対して課金する
ことを特徴とする交換装置。
【請求項２】
収容する電話機からの呼設定信号を受信した時に補助タイマを起動し、
該電話機から応答確認信号を受信する前に該電話機から切断信号を受信した場合には、
一旦該切断信号に対する処理を留保し、該呼設定信号に対応する着信側の電話機からの応答を受信した時に該切断信号に対する処理を実施し、
該電話機から解放完了信号を受信する迄に該補助タイマが計測した時間に対応して該電話機に対して課金し、
該電話機から正常に応答確認信号を受信した場合には、
該補助タイマをクリアすると共に、主タイマを起動して該電話機から正常に解放完了信号を受信する迄に該主タイマが計測した時間に対応して該電話機に対して課金する
ことを特徴とする交換装置。
【請求項３】
請求項１又は請求項２のいずれかに記載の交換装置であって、
同じ電話機からの呼設定信号の受信回数をカウンタにより計数すると共に、補助タイマを起動して該呼設定信号の受信の度に該補助タイマの計測値を加算メモリに加算してゆき、
上記応答確認信号を受信した時に該カウンタの計数値が所定値以下であった場合には、
該補助タイマ及び該加算メモリをクリアし、上記主タイマが解放完了信号を受信する迄に計測した時間に対応して該電話機に課金し、
先行した呼設定信号後に該補助タイマが計測した時間が所定値超となった場合で、該カウンタの計数値が所定値超となった場合には、
該加算メモリの加算値に対応して課金する
ことを特徴とする交換装置。
【請求項４】
収容する電話機からの呼設定信号の受信回数をカウンタにより計数すると共に、補助タイマを起動し、
該電話機から応答確認信号を受信する前に該電話機から解放完了信号を受信した場合には、該補助タイマが該解放完了信号受信迄に計測した時間を加算メモリに記録し、
後続する呼設定信号に設定されている受信電話機番号が、初めての呼設定信号に設定されていた受信電話機番号と同じ場合には、
該加算メモリをクリアし、
後続する呼設定信号に設定されている受信電話機番号が、初めての呼設定信号に設定されていた受信電話機番号とは異なる場合には、
該加算メモリへの加算を継続し、
上記応答確認信号を受信した時に該カウンタの計数値が所定値以下であった場合には、
該補助タイマ及び該加算メモリをクリアし、上記主タイマによって解放完了信号を受信する迄に計測した時間に対応して課金し、
先行した呼設定信号後に該補助タイマが計測した時間が所定値超となった場合で、該カウンタの計数値が所定値超となった場合には、該加算メモリの加算値に対応して課金する
ことを特徴とする交換装置。
【請求項５】
請求項３又は請求項４のいずれかに記載の交換装置であって、
上記カウンタの計数値が所定値超になった時に、
上記呼設定信号に設定されていた発信番号が既に保存されていた場合には、
該呼設定信号を受けて行うべき呼処理信号の中継を停止し、
該呼設定信号に設定されていた発信番号が保存されていなかった場合には、  該発信番号を保存すると共に、該呼設定信号を受けて行うべき呼処理信号の中継を停止する
ことを特徴とする交換装置。
【発明の詳細な説明】
【０００１】
【発明の属する技術分野】
本発明は、交換装置に係り、特に、着信先電話機に着信履歴を残すだけの目的で短時間で切断を行なって、発信と切断を多数回繰り返す悪意の加入者の悪意の発信行為に課金することができて、善意の加入者の通信を妨害することがない交換装置に関する。
【０００２】
最近、着信側電話機の加入者がオフ・フックするのに間に合わない程の短時間で呼び出しを行なった後直ちに発信呼を切断して、着信側電話機に着信履歴を残し、着信側電話機の加入者が着信履歴に記録された番号の電話機にアクセスすると、着信側電話機の加入者の意思や興味とは無関係に強制的に宣伝等の情報を流すだけでなく、いかがわしい番組を流して、後で法外な料金を請求するという悪質な迷惑電話が横行している。
【０００３】
これは、着信側電話機に着信履歴を残すだけ目的で着信側電話機の加入者がオフ・フックするのに間に合わない程の短時間で呼び出しを行なった後直ちに切断をするので、「ワン・コール切り電話」又は「ワン切り電話」と呼ばれている。又、上記行為を行なう悪意の業者を「ワン切り業者」と呼んでいる。尚、上記行為を「ワン切り行為」と呼ぶことにする。
【０００４】
そして、着信履歴に発信番号を残された善意の加入者が不用意に当該番号にアクセスすると、不愉快な思いをしたり迷惑を被るだけでなく、最悪は法外な料金を請求されて不安や恐怖にかられるということになる。
又、ワン切り業者はワン切り行為を短い時間の間に極めて多数回集中して行なうために、通信システムを構成する交換装置において輻輳が生じ、交換装置の正常な呼処理機能をそがれるという問題が起きており、このような行為を禁ずる法律も新たに施行されている。
【０００５】
ワン切り電話は上記の如き問題を生ずるので、特に、通信事業者はワン切り電話対策可能な通信サービスの提供を急ぐ必要がある。
【０００６】
【従来の技術】
図１３は、固定電話機、移動電話機間の通信システムのモデルで、とりあえず現状のワン切り電話の実情に鑑み、固定電話機が発信側になり、移動電話機が着信側になることを想定して説明する。
図１３において、１は固定電話機、２は固定電話機１を収容する交換装置を備える固定網の発信局、３は発信局２からの呼処理信号を中継する移動網交換装置を備える移動網の中継局、６は移動電話機、４は移動電話機６が存在するエリアを管理する移動網の交換装置を備える移動網の着信局、５は移動電話機に関するデータを保持しているホーム・ロケーション・レジスタ（図では「ＨＬＲ」と略記している。これはＨｏｍｅ  Ｌｏｃａｔｉｏｎ  Ｒｅｇｉｓｔｏｒの頭文字による略語である。尚、以降も図では同様に記載する。）である。
【０００７】
先にも記載したように、固定電話機が発信側になり、移動電話機が着信側になることを想定しており、更に、移動網に中継局があるケースを図示しているために、ホーム・ロケーション・レジスタ５は中継局３に接続されて使用されるようになっているが、移動網に中継局３がないか移動網で中継する必要がなく、発信局２から直接着信局４に呼処理信号が伝達されるケースではホーム・ロケーション・レジスタ５は着信局４に接続されて使用される。
【０００８】
尚、実際には着信局４の配下には複数の基地局と、該複数の基地局と在圏している移動電話機との接続を制御するための機能を有する制御局が存在するが、本発明の技術とは直接的には関係がないものであるために、図の煩雑化をさける目的で図示を省略している。
図１０は、従来の固定電話機、移動電話機間の呼処理シーケンス（その１）で、発信をした固定電話機が発信行為を継続して着信側の移動電話機と通話を行なってから切断をする正常なケースの呼処理シーケンスである。以降上記呼処理シーケンスを順を追って説明する。
【０００９】
まず、固定電話機が呼設定信号（英語で「ＳＥＴ  ＵＰ」である。）を送信する。
該呼設定信号を受信した発信局は、固定電話機に対して呼設定受付信号（英語で「ＣＡＬＬ  ＰＲＯＣＥＥＤＩＮＧ  である。）を返送し、一方、中継局に対してアドレス・メッセージ信号（英語で「ＩＮＩＴＩＡＬ  ＡＤＲＥＳＳ  ＭＥＳＳＡＧＥ」である。）を送信して呼処理信号を中継する。
【００１０】
該アドレス・メッセージ信号を受信した中継局は、ホーム・ロケーション・レジスタに対して着信翻訳語読み出し要求を行ない、ホーム・ロケーション・レジスタから着信翻訳語を受信する。ここで、着信翻訳語読み出しは、着信先に指定された移動電話機の移動網への加入の有無や、当該移動電話機がどの着信局の配下のエリアに在圏しているかのデータをホーム・ロケーション・レジスタから取得するためのものである。
【００１１】
ホーム・ロケーション・レジスタから該着信翻訳語を受信した中継局は、当該移動電話機が在圏しているエリアを管理する着信局に対してアドレス・メッセージ信号を転送する。
該アドレス・メッセージ信号を受信した着信局は、配下のエリアに一斉呼び出し（英語で「ＰＡＧＩＮＧ」である。）をかけて当該移動電話機が存在しているか、待ち受け状態にあるかを確認する。
【００１２】
該一斉呼び出しを受けた移動電話機は、一斉呼び出し応答（英語で「ＰＡＧＩＮＧ    ＡＣＫＮＯＷＬＡＧＥＭＥＮＴ」である。）を着信局に返送して在圏しており、且つ、待ち受け状態であることを報告する。
該一斉呼び出し応答を受けた着信局は、当該移動電話機に対して呼設定信号を送信し、該呼設定信号を受信した当該移動電話機は着信局に対して呼設定受付信号を返送する。
【００１３】
着信局は、呼設定受付信号を受けると中継局に対してアドレス完了メッセージを送信し、中継局は発信局に対してアドレス完了メッセージを中継する。
次いで、当該移動電話機は、被呼者を呼び出し中であることを示す呼び出し信号（英語で「ＡＬＬＥＲＴＩＮＧ  」である。正確には、「被呼者呼び出し中信号」であるが、この明細書では「呼び出し信号」と略記する。）を着信局に送信し、着信局は、呼経過表示信号を中継局に送信し、中継局は、呼経過表示信号を発信局に中継して着信側の移動電話機を呼び出し中であることを通知する。この時点で、信号系において発信側の固定電話機と着信側の移動電話機が信号系で接続されて、着信側の移動電話機が呼び出しの鳴動を行なう。
【００１４】
呼経過表示信号を受信した発信局は、呼び出し信号を固定電話機に対して送信する。
次いで、移動電話機は、応答通知信号（英語で「ＣＯＮＮＥＣＴ  」である。）を着信局に送信し、着信局は移動電話機に対して応答確認信号（英語で「ＣＯＮＮＥＣＴ  ＡＣＫ−ＮＯＷＬＡＧＥＭＥＮＴ  」である。）を返送すると共に、中継局に対して応答メッセージ信号（英語で「ＡＮＳＷＥＲ  ＭＥＳＳＡＧＥ」である。）を送信し、中継局は応答メッセージ信号を発信局に中継する。
【００１５】
応答メッセージ信号を受けた発信局は固定電話機に対して応答通知信号を送信し、固定電話機は応答確認信号を発信局に返送する。この時点で、通話系において発信側の固定電話機と着信側の移動電話機が接続されて、通話が可能になるので課金処理が開始される。
一方、切断のシーケンスは下記の通りである。
【００１６】
固定電話機が、切断信号（英語で「ＤＩＳＳＣＯＮＮＥＣＴ  」である。）を発信局に送信する。
発信局は、固定電話機に対して解放信号（英語で「ＲＥＬＥＡＳＥ  」である。）を返送し、解放信号を受けた固定電話機は発信局に対して解放完了信号（英語で「ＲＥＬＥＡＳＥ  ＣＯＭＰＬＥＴＥ」である。）を返送する。この時点で課金処理が終了となる。
【００１７】
一方、切断信号を受けた発信局は、中継局に対して解放信号を送信し、中継局は解放完了信号を発信局に返送すると共に、該解放信号を着信局に向けて中継する。
着信局は、中継局に対して解放完了信号を返送すると共に、移動電話機に対して切断信号を送信する。
【００１８】
該切断信号を受けた移動電話機は、解放信号を着信局に返送し、着信局は解放完了信号を移動電話機に返送する。
上記処理手順によって、固定電話機と移動電話機の間の信号系と通話系が全て解放されて、固定電話機と移動電話機を接続していた全ての交換装置のリソースがフリーになる。
【００１９】
図１１は、従来の固定電話機発、移動電話機着の呼処理シーケンス（その２）で、発信をした固定電話機が発信直後に切断をするために、着信側移動電話機で短時間の呼び出しが行なわれた直後、典型的には１回の呼び出しが行なわれた直後に切断される、ワン切り電話の場合の呼処理シーケンスである。
まず、固定電話機が呼設定信号を送信する。
【００２０】
該呼設定信号を受信した発信局は、固定電話機に対して呼設定受付信号を返送し、一方、中継局に対してアドレス・メッセージ信号を送信する。
該アドレス・メッセージ信号を受信した中継局は、ホーム・ロケーション・レジスタに対して着信翻訳語読み出し要求を行ない、ホーム・ロケーション・レジスタから着信翻訳語を受信する。
【００２１】
ホーム・ロケーション・レジスタから該着信翻訳語を受信した中継局は、当該移動電話機が在圏しているエリアを管理する着信局に対してアドレス・メッセージ信号を転送する。
該アドレス・メッセージ信号を受信した着信局は、配下のエリアに一斉呼び出しをかける。
【００２２】
該一斉呼び出しを受けた移動電話機は、一斉呼び出し応答を着信局に返送する。
該一斉呼び出し応答を受けた着信局は、移動電話機に対して呼設定信号を送信し、該呼設定信号を受信した移動電話機は着信局に対して呼設定受付信号を返送する。この後、着信局がアドレス完了メッセージを中継局に向けて送信し、アドレス完了メッセージの中継が行なわれる。
【００２３】
次いで、移動電話機は、呼び出し信号を着信局に送信する。この時点で、信号系において発信側の固定電話機と着信側の移動電話機が接続されて、着信側の移動電話機が呼び出しの鳴動を行なう。この後、着信局が呼経過表示信号を中継局に向けて送信し、呼経過表示信号の中継が行なわれる。
しかし、このケースには、移動電話機が呼び出し信号を送信する前のタイミングで発信側の固定電話機が切断信号を発信局に送信する。
【００２４】
該切断信号を受信した発信局は、固定電話機に対して解放信号を返送し、固定電話機はそれに対して解放完了信号を発信局に送信する。この時点で発信側の固定電話機は解放されてフリーになる。
一方、該切断信号を受けた発信局は、解放信号を中継局に転送し、中継局は解放信号を着信局に対して中継すると共に発信局に対して解放完了信号を返送する。更に、中継局は、解放信号を着信局に対して中継する。
【００２５】
該解放信号を受けた着信局は、当該移動電話機に対して切断信号を送信すると共に、中継局に対して解放完了信号を返送する。
該切断信号を受けた当該移動電話機が、解放信号を着信局に返送すると、着信局は解放完了信号を当該移動電話機に送信する。
従って、着信側の移動電話機において一旦は呼び出しが行なわれるが、固定電話機が発信した直後に切断を行なうために、固定電話機と移動電話機との間で通話系が接続されることなく呼処理シーケンスが終了し、当該移動電話機における呼び出しも加入者がオフ・フックする前に終了する。
【００２６】
そして、発信側の固定電話機は発信局に対して応答確認信号を送信していないので課金されることがない。一方、着信側の移動電話機は一旦呼び出された直後に切断されるために、不在着信があったと判断して着信履歴に発信側の固定電話機の番号を保存する。
ワン切り電話は上記のようにしてかけられ、不在着信履歴を見た着信側の加入者が不用意に発信側の固定電話機にアクセスすると、着信側の加入者は不愉快な思いをしたり迷惑を被るだけでなく、最悪は不安や恐怖にかられることにもなる。
【００２７】
図１２は、図１０及び図１１に示した呼処理シーケンスを特に課金処理に関してまとめた、従来の交換装置の処理のフローチャートである。以降、図１２の符号に沿って従来の交換装置の課金中心の処理について説明する。
Ｓ１５１．固定電話機から呼設定信号を受信したか否か判定する。
呼設定信号を受信しなかった場合（Ｎｏ）には、上記監視を継続する。
【００２８】
Ｓ１５２．ステップＳ１５１で、固定電話機から呼設定信号（図では、ＳＥＴ  ＵＰと記載している。以降も、図では同様に記載する。）を受信したと判定した場合（Ｙｅｓ）には、当該固定電話機から応答確認信号（図ではＣＯＮＮ  ＡＣＫと記載している。以降も、図では同様に記載する。）を受信したか否か判定する。
Ｓ１５３．ステップＳ１５２で、当該固定電話機から応答確認信号を受信しなかったは判定した場合（Ｎｏ）には、解放完了信号（図では、ＲＬＣ  と略記している。以降も、図では同様に記載する。）を受信したか否か判定する。
【００２９】
当該固定電話機から解放完了信号を受信したと判定した場合（Ｙｅｓ）には、これ以上の処理を何も行わずに処理を終了する。
又、当該固定電話機から解放完了信号を受信しなかったと判定した場合（Ｎｏ）には、ステップＳ１５２にジャンプする。
Ｓ１５４．一方、ステップＳ１５２で、当該固定電話機から応答確認信号を受信したと判定した場合（Ｙｅｓ）には、当該固定電話機の呼設定信号に伴って着信側の移動電話機との間に通話系が設定されて両者の間で通話が可能になる。従って、通話時間を計測する主タイマを起動する。
【００３０】
Ｓ１５５．当該固定電話機から解放完了信号を受信したか否か判定する。
解放完了信号を受信しなかった場合（Ｎｏ）には、上記監視を継続する。
Ｓ１５６．ステップＳ１５５で、当該固定電話機から解放完了信号を受信したと判定した場合（Ｙｅｓ）には、主タイマを停止して
Ｓ１５７．主タイマが計測した時間に対応して当該固定電話機に課金をする。
【００３１】
Ｓ１５８．主タイマをクリアして一連の処理を終了する。
つまり、正常な発信行為に対しては課金することができるが、着信先電話機に着信履歴を残すだけの目的で短時間で切断を行なうワン切り業者の悪意の発信行為には課金することができない。これは、信号系での接続には課金せず、通話系の接続がなされた後に課金を開始するという考え方によっている。このため、ワン切り業者がおびただしい回数の発信を行っても通話系の接続が行なわれる前に切断してしまえば、ワン切り業者には経済的な負担は発生しない。これが、ワン切り業者をはびこらせる最大の原因になっている。
【００３２】
さて、非特許文献１、即ち、ＮＴＴｄｏｃｏｍｏのホーム・ページに掲載された“「ワン切り」に関する対策の概要”には、ワン切り電話への複数の対策が記載されている。
この内、ネットワークにおける対策として、発信電話機のＩＤ判定による着信拒否機能があることが記載されている。
【００３３】
これは、ワン切り事業者の電話番号と推測される番号を登録しておくと、登録された番号の電話機からの着信を拒否できるというものである。従って、善意の加入者の電話機にワン切り電話がかかることがなくなって、着信履歴に発信側電話機の番号が保存されないようになる。
又、この対策においては登録された番号の電話機に対して音声ガイダンスによって即時に応答するので、電話番号を登録されたワン切り業者に対して課金が行なわれ、ワン切り業者に経済的ダメージを課すことができるために、ワン切り電話の防止につながることが期待できる。
【００３４】
更に、特許文献１、即ち、特開平５−２３６２２９号公開公報には同じ相手からの着信を拒否できる下記の技術が開示されている。
これは、着信があった時に着信を許容する相手を登録してある相手先登録部に登録されていないと判定した場合に着信を拒否し、着信を拒否した時に公衆通信網（交換装置）に着信拒否履歴を登録し、交換装置は着信拒否履歴がある相手からの発信があった場合に着信側を呼び出さないというもので、電話機と交換装置の連携で一般的な迷惑電話の着信を拒否するものである。従って、ワン切り電話防止も可能である。
【００３５】
【非特許文献１】“「ワン切り」に関する対策の概要”（ＮＴＴｄｏｃｏｍｏのホーム・ページ。インターネットのＵＲＬは下記の通りである。
ｈｔｔｐ：／／ｗｗｗ．ｄｏｃｏｍｏｋｙｕｓｙｕ．ｃｏ．ｊｐ／ｊｏｈｏ／ｎｅｗｓ／２００２０８２９／ｏｎｅｇｉｒｉ １．ｈｔｍｌ）
【００３６】
【特許文献１】特開平５−２３６２２９号公開公報
【００３７】
【発明が解決しようとする課題】
しかし、上記のいずれの手段によってもワン切り電話から善意の加入者を完全に守ることはできない。
即ち、非特許文献１に記載の発信電話機のＩＤ判定による着信拒否機能は、登録された番号の電話機からの着信を拒否できるという効果があるものの、ワン切り業者が電話番号を変更した場合、ワン切り業者であるとして再登録されるまではワン切り電話の着信を許してしまうという問題が生じ、しかもワン切り業者に課金できないという問題が残る。
【００３８】
又、かつてワン切り業者の番号であった番号を新たに付与された善意の加入者が発信を拒否されるという問題も生ずる。
更に、特許文献１に記載の同じ相手からの着信拒否は、交換機に着信拒否対象である旨の登録がなければ交換機は着信側電話機に着信させてしまい、その後、着信側電話機で着信を許容する番号でないと判断した時に着信を拒否すると共に交換機に着信を拒否する旨登録するということが行なわれるので、ネットワーク全体では電話機と交換機との間で行なわなければならない処理が増加する恐れがある。
【００３９】
又、加入者が登録した、着信を許容するした番号のみに着信を許容するので、登録忘れがあった場合には登録を忘れた加入者自身に不利益が生ずるという恐れが残る。そして、登録忘れがないにしても、必要な相手の電話番号を全て保存しておくためには、電話機に設置する記憶装置の記憶容量を大きくしなければならないし、常に登録のチェックを行なわなければならないという加入者への負担増が生ずるという問題も生ずる。
【００４０】
上記の如く、既に知られている電話機と交換機における技術では完全にはワン切り電話から善意の加入者を守ることができず、ワン切りを行なう悪意の加入者の意図を封ずることもしにくい。
本発明は、着信先電話機に着信履歴を残すだけの目的で短時間で切断を行なって、発信と切断を多数回繰り返す悪意の加入者の悪意の発信行為に課金することができて、善意の加入者の通信を妨害することがない交換装置を提供することを目的とする。
【００４１】
【課題を解決するための手段】
上記課題を解決するための第一の発明は、収容する電話機からの呼設定信号を検出した時に補助タイマを起動し、該電話機から応答確認信号を受信する前に該電話機から解放完了信号を受信した場合には、該解放完了信号を受信する迄に該補助タイマが計測した時間に対応して該電話機に対して課金し、該電話機から正常に応答確認信号を受信した場合には、該補助タイマをクリアすると共に、主タイマを起動して該電話機から正常に解放完了信号を受信する迄に該主タイマが計測した時間に対応して該電話機に対して課金することを特徴とする交換装置である。。
【００４２】
第一の発明の交換装置は、収容する電話機からの発信を検出した時に補助タイマを起動し、該電話機から応答確認信号を受信する前に該電話機から解放完了信号を受信した場合には、該補助タイマが計測した時間に対応して該電話機に対して課金するので、着信先電話機に着信履歴を残すだけの目的で短時間で切断を行なう悪意の加入者の悪意の発信行為を課金することができて、該悪意の加入者の意図を封ずることができ、又、該電話機から正常に応答確認信号を受信した場合には主タイマを起動して通話時間を計測し、該通話時間に対応して該電話機に対して課金するので、正常な発信行為を行う善意の加入者の通信を妨害することがない。
【００４３】
第二の発明は、収容する電話機からの呼設定信号を受信した時に補助タイマを起動し、該電話機から応答確認信号を受信する前に該電話機から切断信号を受信した場合には、一旦該切断信号に対する処理を留保し、該呼設定信号に対応する着信側の電話機からの応答を受信した時に該切断信号に対する処理を実施し、該電話機から解放完了信号を受信する迄に該補助タイマが計測した時間に対応して該電話機に対して課金し、該電話機から正常に応答確認信号を受信した場合には、該補助タイマをクリアすると共に、主タイマを起動して該電話機から正常に解放完了信号を受信する迄に該主タイマが計測した時間に対応して該電話機に対して課金することを特徴とする交換装置である。
【００４４】
第二の発明の交換装置は、収容する電話機からの発信を検出した時に補助タイマを起動し、該電話機から応答確認信号を受信する前に該電話機から切断信号を受信した場合には該切断信号に対する処理を留保し、該呼設定信号に対応する着信側の電話機からの応答を受信した時に該切断信号に対する処理を実施し、該電話機から解放完了信号を受信する迄に該補助タイマが計測した時間に対応して該電話機に対して課金するので、着信先電話機に着信履歴を残すだけの目的で短時間で切断を行なう悪意の加入者の悪意の発信行為を課金することができて、該悪意の加入者の意図を封ずることができ、又、該電話機から正常に応答確認信号を受信した場合には主タイマを起動して通話時間を計測し、該通話時間に対応して該電話機に対して課金するので、正常な発信行為を行う善意の加入者の通信を妨害することがない。
【００４５】
第三の発明は、第一の発明又は第二の発明のいずれかの交換装置であって、同じ電話機からの呼設定信号の受信回数をカウンタにより計数すると共に、補助タイマを起動して該呼設定信号の受信の度に該補助タイマの計測値を加算メモリに加算してゆき、上記応答確認信号を受信した時に該カウンタの計数値が所定値以下であった場合には、該補助タイマ及び該加算メモリをクリアし、上記主タイマが解放完了信号を受信する迄に計測した時間に対応して該電話機に課金し、先行した呼設定信号後に該補助タイマが計測した時間が所定値超となった場合で、該カウンタの計数値が所定値超となった場合には、該加算メモリの加算値に対応して課金することを特徴とする交換装置である。
【００４６】
第三の発明の交換装置は、該応答確認信号を受信した時に計数値が所定値以下であった場合には、該補助タイマ及び該加算メモリをクリアし、該主タイマによって解放完了信号を受信するまでの時間に対応して課金して課金するので、善意の加入者が発信操作を誤った場合でも不利益な課金を課金されず、先行した呼設定信号後の時間が所定値超となった場合で、該カウンタの計数値が所定値超となった場合には、該加算メモリの加算値に対応して課金するので、着信先電話機に着信履歴を残すだけの目的で短時間で切断を行なう悪意の加入者の悪意の発信行為を課金することができて、該悪意の加入者の意図を封ずることができる。
【００４７】
第四の発明は、収容する電話機からの呼設定信号の受信回数をカウンタにより計数すると共に、補助タイマを起動し、該電話機から応答確認信号を受信する前に該電話機から解放完了信号を受信した場合には、該補助タイマが該解放完了信号受信迄に計測した時間を加算メモリに記録し、後続する呼設定信号に設定されている受信電話機番号が、初めての呼設定信号に設定されていた受信電話機番号と同じ場合には、該加算メモリをクリアし、後続する呼設定信号に設定されている受信電話機番号が、初めての呼設定信号に設定されていた受信電話機番号とは異なる場合には、該加算メモリへの加算を継続し、上記応答確認信号を受信した時に該カウンタの計数値が所定値以下であった場合には、該補助タイマ及び該加算メモリをクリアし、上記主タイマによって解放完了信号を受信する迄に計測した時間に対応して課金し、先行した呼設定信号後に該補助タイマが計測した時間が所定値超となった場合で、該カウンタの計数値が所定値超となった場合には、該加算メモリの加算値に対応して課金することを特徴とする交換装置である。
【００４８】
第四の発明の交換装置は、初めての呼設定信号に設定されていた受信端末とは異なる場合には、該加算メモリを一旦クリアして該補助タイマが計測した値を該加算メモリに記録し、上記主タイマによって解放完了信号を受信するまでの時間を計測し、計測値に対応して課金するので、善意の加入者が発信操作を誤った場合でも不利益な課金を課金されず、先行した呼設定信号後の時間が所定値超となった場合で、該カウンタの計数値が所定値超となった場合には、該加算メモリの加算値に対応して課金するので、着信先電話機に着信履歴を残すだけの目的で短時間で切断を行なう悪意の加入者の悪意の発信行為を課金することができて、該悪意の加入者の意図を封ずることができる。しかも、初めての呼設定信号に設定されていた受信番号と同じか否かを判定するので、ワン切り電話であるか否かを正確に判定することができる。
【００４９】
第五の発明は、第三の発明又は第四の発明請求項のいずれかの交換装置であって、上記計数値が所定値超になった時に、上記呼設定信号に設定されていた発信番号が既に保存されていた場合には、呼処理信号の中継を停止し、上記呼設定信号に設定されていた発信番号が保存されていなかった場合には、該発信番号を保存すると共に呼処理信号の中継を停止することを特徴とする交換装置である。
【００５０】
第五の発明の交換装置は、上記計数値が所定値超になった時に、上記呼設定信号に設定されていた発信番号が記憶されていた場合には、呼処理信号の中継を停止し、上記呼設定信号に設定されていた発信番号が保存されていなかった場合には、該発信番号を保存すると共に呼処理信号の中継を停止するので、ワン切り電話であることが確実な発信を着信側の電話機に着信させることがなく、着信側の電話機に着信履歴を残すことを防止することができる。
【００５１】
【発明の実施の形態】
以降、図面を併用して本発明の技術を詳細に説明する。尚、本発明を適用する通信システムのモデルは取り敢えず図１３に示したものと同じであるとし、発信側の電話機が固定電話機、受信側の電話機が移動電話機であることを想定して説明し、その後で発信側の電話機が固定電話機、受信側の電話機が移動電話機であることに限定する必要がないことを付言する。
【００５２】
図１は、本発明の第一の実施の形態で、発信局に設置されている交換装置が発信側の固定電話機から受ける応答確認信号と解放完了信号の前後関係から、ワン切り電話と正常な電話を区別して課金するものである。以降、図１の符号に沿って説明する。
Ｓ２．収容している固定電話機から呼設定信号を受信したか否か判定する。
【００５３】
呼設定信号を受信しなかった場合（Ｎｏ）には、上記監視を継続する。
Ｓ６．ステップＳ２で、固定電話機から呼設定信号を受信したと判定した場合（Ｙｅｓ）には、ワン切り電話であることも想定して、ワン切り電話に課金するための補助タイマを起動する。
Ｓ１０．当該固定電話機から応答確認信号を受信したか否か判定する。
【００５４】
Ｓ１１．ステップＳ１０で、当該固定電話機から応答確認信号を受信しなかったと判定した場合（Ｎｏ）には、当該固定電話機から解放完了信号を受信したか否か判定する。
当該固定電話機から解放完了信号を受信しなかったと判定した場合（Ｎｏ）には、ステップＳ１０にジャンプして以降の処理を継続する。
【００５５】
Ｓ１２．ステップＳ１１で、当該固定電話機から解放完了信号を受信したと判定した場合（Ｙｅｓ）には、応答確認信号を受信する前に解放完了信号を受信したのはワン切り電話である可能性が高いので、ワン切り電話に対する課金の準備として、補助タイマを停止する。
Ｓ１３．停止した時の補助タイマの値によって当該固定電話機に課金する。
【００５６】
Ｓ１４．補助タイマをクリアして処理を終了する。
Ｓ１６．一方、ステップＳ１０で、当該固定電話機から応答確認信号を受信したと判定した場合（Ｙｅｓ）には、解放完了信号より前に応答確認信号を受信したのは正常な電話であるとして、補助タイマをクリアし、
Ｓ１７．正常な通話に課金するための主タイマを起動する。
【００５７】
Ｓ１８．当該固定電話機から解放完了信号を受信したか否か判定する。
当該固定電話機から解放完了信号を受信しなかったと判定した場合（Ｎｏ）には、上記監視を継続する。
Ｓ１９．ステップＳ１８で、当該固定電話機から解放完了信号を受信したと判定した場合（Ｙｅｓ）には、通話が完了したので主タイマを停止する。
【００５８】
Ｓ２０．主タイマが計測した時間に対応して当該固定電話機に課金する。これは、正常な通話に対する課金である。
Ｓ２１．主タイマをクリアして一連の処理を終了する。
即ち、本発明の第一の実施の形態の交換装置は、収容する電話機からの呼設定信号を検出した時に補助タイマを起動し、該電話機から応答確認信号を受信する前に該電話機から解放完了信号を受信した場合には、該解放完了信号を受信する迄に該補助タイマが計測した時間に対応して該電話機に対して課金し、該電話機から正常に応答確認信号を受信した場合には、該補助タイマをクリアすると共に、主タイマを起動して該電話機から正常に解放完了信号を受信する迄に該主タイマが計測した時間に対応して該電話機に対して課金する。
【００５９】
従って、当該電話機から応答確認信号を受信する前に当該電話機から解放完了信号を受信した場合には、該補助タイマが計測した時間に対応して当該電話機に対して呼設定信号の受信から不正な切断信号に基づく解放完了信号の受信迄の時間に対して課金するので、着信先電話機に着信履歴を残すだけの目的で短時間で切断を行なう悪意の加入者の悪意の発信行為を課金することができて、該悪意の加入者の意図を封ずることができ、又、当該電話機から正常に応答確認信号を受信した場合には主タイマを起動して通話時間を計測し、該通話時間に対応して該電話機に対して課金するので、正常な発信行為を行う善意の加入者の通信を妨害することがない。
【００６０】
ただ、善意の加入者が電話しようとして番号入力のプッシュ・ボタンを操作した直後に切断のプッシュ・ボタンを押すという誤操作をした場合にも、呼設定信号の受信から不正な切断信号に基づく解放完了信号の受信迄の時間に対して課金するという恐れがある。これを防止することが可能なのが以降に説明する本発明の第一の実施の形態の第一の変形である。
【００６１】
図２は、本発明の第一の実施の形態の第一の変形で、発信局に設置されている交換装置が発信側の固定電話機から受ける応答確認信号と解放完了信号の前後関係から、ワン切り電話と正常な電話を区別して課金することを基本とする上に、発信加入者の誤操作を救済するものである。以降、図２の符号に沿って説明する。
【００６２】
Ｓ１．呼設定信号の受信をカウントするカウンタ（カウント値をＮとする。）を初期化する。
Ｓ２．収容している固定電話機から呼設定信号を受信したか否か判定する。
この時、呼設定信号に設定されている発信した電話機の番号を記憶し、ループして再度このステップの処理に入った時には、設定されている発信電話機の番号が記憶した番号と等しいか否かも併せて判断する。このことは、図５の処理を除いて、以降に説明する処理についても同様である。
【００６３】
Ｓ３．ステップＳ２で、呼設定信号を受信しなかったと判定した場合（Ｎｏ）には、補助タイマがタイムアウトしたか否か判定する。
今は、未だ呼設定信号を受信しておらず、補助タイマは起動されておらずタイムアウトを検出する筈がないので、ステップＳ２に移行する。
そして、後の説明で明らかになるが、１回目の呼設定信号を受信した後、応答確認信号より先に解放完了信号を受信した場合で、呼設定信号の受信を待つ場合には、補助タイマがタイムアウトする場合としない場合とがあるので、その時に補助タイマのタイムアウトの判定が意味を持ってくる。
【００６４】
Ｓ４．ステップＳ２で、呼設定信号を受信したと判定した場合（Ｙｅｓ）には、カウンタのカウント値を歩進する。又、ループして再度このステップの処理に入った場合には、呼設定信号に設定されている発信電話機の番号が記憶した番号と等しいか否かも判定して、カウンタのカウント値を歩進する。このことは、図５の処理を除いて、以降に説明する処理についても同様である。
【００６５】
Ｓ６．ワン切り電話であることも想定して、ワン切り電話に課金するための補助タイマを起動する。
Ｓ１０．当該固定電話機から応答確認信号を受信したか否か判定する。
Ｓ１１．ステップＳ１０で、当該固定電話機から応答確認信号を受信しなかったと判定した場合（Ｎｏ）には、当該固定電話機から解放完了信号を受信したか否か判定する。
【００６６】
当該固定電話機から解放完了信号を受信しなかったと判定した場合（Ｎｏ）には、ステップＳ１０にジャンプして以降の処理を継続する。
Ｓ１２．ステップＳ１１で、当該固定電話機から解放完了信号を受信したと判定した場合（Ｙｅｓ）には、応答確認信号を受信する前に解放完了信号を受信したのはワン切り電話である可能性が高いので、ワン切り電話に対する課金の準備として、補助タイマを停止する。
【００６７】
Ｓ１３．停止した時の補助タイマの値を加算メモリに加算する。
Ｓ１４．補助タイマをクリアしてステップＳ２にジャンプする。
Ｓ１５．一方、ステップＳ１０で、当該固定電話機から応答確認信号を受信したと判定した場合（Ｙｅｓ）には、解放完了信号より前に応答確認信号を受信したのは正常な電話である可能性があるとして、この時のカウンタのカウント値が２以下であるか否か判定する。
【００６８】
ここで、カウント値が２以下であるか否か判定するのは下記の理由による。
即ち、カウント値が１で応答確認信号を受信したことは、発信した固定電話機が１回目の呼設定信号を出した後着信側の移動電話機との接続を待っていたことを意味するので、正常な電話であることに間違いがないと判断できる。又、カウント値が２で応答確認信号を受信したのは、最初の発信で誤操作をした後際発信をして着信側の移動電話機との接続を待っていたと推測できるので、正常な電話である可能性が高いと判断できる。
【００６９】
しかし、常識的にみて、カウント値が３以上になってから初めて応答確認信号を受信した時には、単純に発信固定電話機側の誤操作が原因であると判断してよいか否か問題が残るので、カウント値が３以上になってから初めて応答確認信号を受信した時には、ワン切り電話の可能性を否定できない。従って、カウント値が２以下であるか否か判定するステップを設けている。ただ、判断基準となるカウント値を２に限定しなければならないということはない。
【００７０】
Ｓ１６．ステップＳ１５で、カウンタのカウント値が２以下であると判定した場合（Ｙｅｓ）には、上記理由によってワン切り電話の可能性を否定できるので、補助タイマと加算メモリをクリアし、
Ｓ１７．正常な通話に課金するための主タイマを起動する。
Ｓ１８．当該固定電話機から解放完了信号を受信したか否か判定する。
【００７１】
当該固定電話機から解放完了信号を受信しなかったと判定した場合（Ｎｏ）には、上記監視を継続する。
Ｓ１９．ステップＳ１８で、当該固定電話機から解放完了信号を受信したと判定した場合（Ｙｅｓ）には、通話が完了したので主タイマを停止する。
Ｓ２０．主タイマが計測した時間に対応して当該固定電話機に課金する。これは、正常な通話に対する課金である。
【００７２】
Ｓ２１．主タイマ及びカウンタをクリアして一連の処理を終了する。
Ｓ２２．一方、ステップＳ１５で、カウンタのカウント値が２超であると判定した場合（Ｎｏ）には、主タイマを起動する。そして、省略しているが、解放完了信号を待って主タイマを停止する。
Ｓ２３．主タイマの計測値に対応して通話時間に課金する。
【００７３】
Ｓ２４．ところで、この時には補助タイマが時間を計測し続けているので、補助タイマを停止する。
Ｓ２５．停止した時の補助タイマの計測値を加算メモリに加算する。
Ｓ２６．加算メモリの加算値に対応して、異常とみられる発信行為に対して課金する。
【００７４】
Ｓ２７．補助タイマ、加算メモリ、主タイマ及びカウンタをクリアして一連の処理を終了する。
Ｓ２８．更に、ステップＳ３で、補助タイマがタイムアウトしたと判定した場合（Ｙｅｓ）には、カウンタのカウント値が２以下であるか否か判定する。
ここで、カウント値が２以下であるか否か判定するのは下記の理由による。
【００７５】
即ち、カウント値が１か２でタイムアウトしたことは、発信した固定電話機が１回目の呼設定信号を出した後誤操作をして、何かの理由で再発信を諦めたと推定できるので、少なくとも悪意の電話はないと判断できる。
しかし、常識的にみて、カウント値が３以上になってからタイムアウトしたのは、単純に発信固定電話機側の誤操作が原因であると判断してよいか否か問題が残るので、カウント値が３以上になってからタイムアウトした時には、ワン切り電話の可能性を否定できない。
【００７６】
このために、カウント値が２以下であるか否か判定するステップを設けている。ただ、判断基準となるカウント値を２に限定しなければならないということはない。
従って、カウント値が２以下であると判定した場合（Ｙｅｓ）には、処理を終了する。
【００７７】
そして、カウント値が２超であると判定した場合にはステップＳ２４にジャンプして、以降の処理を行なう。
さて、ワン切り業者がワン切り行為を止める時のことに思いを致すと、一連の呼設定信号送信の後に切断信号を送信した時点で一方的にワン切り行為を止めるのが通常であろう。最後の呼設定信号を送信した後に切断信号を送信しないでワン切り行為を止めると、最後の呼設定信号に対応する応答確認信号が交換装置に送信されて、その時点から課金のための時間計測が行なわれ、計測値に対応した課金をされるからである。
【００７８】
従って、カウンタのカウント値が大きくなっている時に応答確認信号を交換装置が受信する可能性は低く、ステップＳ１５でカウンタのカウント値が所定値超になる可能性は低い。これに対して、一連の呼設定信号送信の後に切断信号を送信した時点で一方的にワン切り行為を止めると、呼設定信号を受けて起動した補助タイマは確実にタイムアウトする。
【００７９】
このことを考えると、ステップＳ１５でカウンタのカウント値が所定値超になることはありえず、所定値超の検出は形式的なものであるので、所定値超の後は形式的に処理を終了させることでよく、このように処理を設計した場合にはステップＳ２２及びステップＳ２３を省略することができる。ただ、ステップＳ２８でカウンタのカウント値が所定値超であるか否か判定することは必須である。
【００８０】
即ち、図２の呼処理は図１の呼処理に対して、呼設定信号の受信回数をカウンタにより計数すると共に、補助タイマを起動して該呼設定信号の受信の度に該補助タイマの計測値を加算メモリに加算してゆき、応答確認信号を受信した時に該カウンタの計数値が所定値以下であった場合には、該補助タイマ及び該加算メモリをクリアし、主タイマが解放完了信号を受信する迄に計測した時間に対応して該電話機に課金し、先行した呼設定信号後の時間が所定値超となった場合で、該応答確認信号を受信した時に該カウンタの計数値が所定値超となった場合には、該加算メモリの加算値に対応して課金するという機能を追加したものである。
【００８１】
これにより、着信先電話機に着信履歴を残すだけの目的で短時間で切断を行なう悪意の加入者の悪意の発信行為を課金することができて、該悪意の加入者の意図を封ずることができ、正常な発信行為を行う善意の加入者に不利益を被らせることがない。
図３は、本発明の第一の実施の形態の第二の変形で、発信局に設置されている交換装置が発信側の固定電話機から受ける応答確認信号と解放完了信号の前後関係から、ワン切り電話と正常な電話を区別して課金することを基本とし、発信加入者の誤操作を救済する上に、ワン切り行為であると認められる場合には呼設定信号に続く呼処理信号の中継を停止するものである。以降、図３の符号に沿って説明する。
【００８２】
Ｓ１．呼設定信号の受信をカウントするカウンタ（カウント値をＮとする。）を初期化する。
Ｓ２．収容している固定電話機から呼設定信号を受信したか否か判定する。
Ｓ３．ステップＳ２で、呼設定信号を受信しなかったと判定した場合（Ｎｏ）には、補助タイマがタイムアウトしたか否か判定する。
【００８３】
今は、未だ呼設定信号を受信しておらず、タイムアウトを検出できないので、ステップＳ２に移行する。
Ｓ４．ステップＳ２で、呼設定信号を受信したと判定した場合（Ｙｅｓ）には、カウンタのカウント値を歩進する。
Ｓ５．カウンタのカウント値が２以下であるか否か判定する。
【００８４】
ここで、カウンタのカウント値が２以下であるか否かを判定する理由は下記の通りである。
即ち、この場合には、ワン切り電話の可能性がある場合には、発信電話機の番号を参照して呼設定信号に続く呼処理信号の中継を停止して、着信側電話機への接続を防止したいからで、カウント値が１の時には直ちにワン切り電話の可能性があるとは判定せず、カウント値が２ならワン切り電話の可能性があると判断するためである。尚、判定基準のカウント値は２に限定されるものではない。
【００８５】
Ｓ６．ステップＳ５で、カウント値が２以下であると判定した場合（Ｙｅｓ）には、ワン切り電話であることも想定して、ワン切り電話に課金するための補助タイマを起動する。
Ｓ１０．当該固定電話機から応答確認信号を受信したか否か判定する。
Ｓ１１．ステップＳ１０で、当該固定電話機から応答確認信号を受信しなかったと判定した場合（Ｎｏ）には、当該固定電話機から解放完了信号を受信したか否か判定する。
【００８６】
当該固定電話機から解放完了信号を受信しなかったと判定した場合（Ｎｏ）には、ステップＳ１０にジャンプして以降の処理を継続する。
Ｓ１２．ステップＳ１１で、当該固定電話機から解放完了信号を受信したと判定した場合（Ｙｅｓ）には、応答確認信号を受信する前に解放完了信号を受信したのはワン切り電話であるとして、ワン切り電話に対する課金の準備として、補助タイマを停止する。
【００８７】
Ｓ１３．停止した時の補助タイマの値を加算メモリに加算する。
Ｓ１４．補助タイマをクリアしてステップＳ２にジャンプする。
Ｓ７．一方、ステップＳ５で、カウント値が２超であると判定した場合（Ｎｏ）には、呼設定信号を送信してきた固定電話機の番号が保存されているか否か判定する。
【００８８】
Ｓ８．ステップＳ７で、呼設定信号を送信してきた固定電話機の番号が保存されていないと判定した場合（Ｎｏ）には、当該固定電話機がワン切り行為をしている恐れがあるので、発信してきた固定電話機の番号を保存する。
Ｓ９．ステップＳ７で、呼設定信号を送信してきた固定電話機の番号が保存されていると判定した場合（Ｙｅｓ）と、ステップＳ８の処理を終了した後で、当該固定電話機が送信してきた呼設定信号に続く呼処理信号の中継を停止して、ステップＳ１０にジャンプして、以降の処理を継続する。
【００８９】
Ｓ１５．一方、ステップＳ１０で、当該固定電話機から応答確認信号を受信したと判定した場合（Ｙｅｓ）には、解放完了信号より前に応答確認信号を受信したのは正常な電話である可能性があるとして、この時のカウンタのカウント値が２以下であるか否か判定する。
ここで、カウント値が２以下であるか否か判定するのは既述の通りである。
【００９０】
そして、カウント値が２超であると判定した場合には処理を終了する。これは、カウント値が２超の時にはステップＳ９で呼処理信号の中継を停止しているので、カウント値が２超の時に応答確認信号を受信する筈がないからである。
Ｓ１６．ステップＳ１５で、カウンタのカウント値が２以下であると判定した場合（Ｙｅｓ）には、ワン切り電話の可能性を否定できるので、補助タイマ及び加算メモリをクリアし、
Ｓ１７．正常な通話に課金するための主タイマを起動する。
【００９１】
Ｓ１８．当該固定電話機から解放完了信号を受信したか否か判定する。
当該固定電話機から解放完了信号を受信しなかったと判定した場合（Ｎｏ）には、上記監視を継続する。
Ｓ１９．ステップＳ１８で、当該固定電話機から解放完了信号を受信したと判定した場合（Ｙｅｓ）には、通話が完了したので主タイマを停止する。
【００９２】
Ｓ２０．主タイマが計測した時間に対応して当該固定電話機に課金する。これは、正常な通話に対する課金である。
Ｓ２１．主タイマ及びカウンタをクリアして一連の処理を終了する。
Ｓ２８．更に、ステップＳ３で、補助タイマがタイムアウトしたと判定した場合（Ｙｅｓ）には、カウンタのカウント値が２以下であるか否か判定する。
【００９３】
ここで、カウント値が２以下であるか否か判定するのは既述の通りである。
従って、カウント値が２以下であると判定した場合（Ｙｅｓ）には、処理を終了する。
そして、カウント値が２超であると判定した場合にはステップＳ２４に移行して、図２で説明した処理と同じ処理を行なう。
【００９４】
ここで、ステップＳ１５でカウント値が２超検出の後は形式的に処理を終了するようにし、ステップＳ２２及びステップＳ２３を省略してよいことは図２の処理と同じである。
即ち、図３の処理は図２の処理に対して、カウンタの計数値が所定値超になった時に、上記呼設定信号に設定されていた発信番号が保存されていた場合には、該呼設定信号を受けて行うべき呼処理信号の中継を停止し、該呼設定信号に設定されていた発信番号が保存されていなかった場合には、該発信番号を記憶すると共に、該呼設定信号を受けて行うべき呼処理信号の中継を停止する機能を追加したものである。
【００９５】
これにより、着信先電話機に着信履歴を残すだけの目的で短時間で切断を行なう悪意の加入者の悪意の発信行為を課金することができて、該悪意の加入者の意図を封ずることができ、正常な発信行為を行う善意の加入者に不利益を被らせることがない。又、善意の加入者に対してワン切り電話を着信させる件数を非常に少なくでき、ワン切り行為から善意の加入者を完全に近く守ることができる。
【００９６】
図４は、本発明の第一の実施の形態の第三の変形で、発信局に設置されている交換装置が発信側の固定電話機から受ける応答確認信号と解放完了信号の前後関係から、ワン切り電話と正常な電話を区別して課金することを基本とし、発信加入者の誤操作を救済し、発信番号が保存されてワン切り行為であると認められる場合には呼設定信号に続く呼処理信号の中継を停止する上に、ワン切り行為ではなかったと認められる場合には保存されている発信番号を抹消するものである。以降、図４の符号に沿って説明する。
【００９７】
Ｓ１．呼設定信号の受信をカウントするカウンタ（カウント値をＮとする。）を初期化する。
Ｓ２．収容している固定電話機から呼設定信号を受信したか否か判定する。
Ｓ３．ステップＳ２で、呼設定信号を受信しなかったと判定した場合（Ｎｏ）には、補助タイマがタイムアウトしたか否か判定する。
【００９８】
今は、未だ呼設定信号を受信しておらず、タイムアウトを検出できないので、ステップＳ２に移行する。
Ｓ４．ステップＳ２で、呼設定信号を受信したと判定した場合（Ｙｅｓ）には、カウンタのカウント値を歩進する。
Ｓ５．カウンタのカウント値が２以下であるか否か判定する。
【００９９】
ここで、カウンタのカウント値が２以下であるか否かを判定する理由は既述の通りである。
Ｓ６．ステップＳ５で、カウント値が２以下であると判定した場合（Ｙｅｓ）には、ワン切り電話であることも想定して、ワン切り電話に課金するための補助タイマを起動する。
【０１００】
Ｓ１０．当該固定電話機から応答確認信号を受信したか否か判定する。
Ｓ１１．ステップＳ１０で、当該固定電話機から応答確認信号を受信しなかったと判定した場合（Ｎｏ）には、当該固定電話機から解放完了信号を受信したか否か判定する。
当該固定電話機から解放完了信号を受信しなかったと判定した場合（Ｎｏ）には、ステップＳ１０にジャンプして以降の処理を継続する。
【０１０１】
Ｓ１２．ステップＳ１１で、当該固定電話機から解放完了信号を受信したと判定した場合（Ｙｅｓ）には、応答確認信号を受信する前に解放完了信号を受信したのはワン切り電話であるとして、ワン切り電話に対する課金の準備として、補助タイマを停止する。
Ｓ１３．停止した時の補助タイマの値によって当該固定電話機に課金する。
【０１０２】
Ｓ１４．補助タイマをクリアしてステップＳ２にジャンプする。
Ｓ７．一方、ステップＳ５で、カウント値が２超であると判定した場合（Ｎｏ）には、呼設定信号を送信してきた固定電話機の番号が保存されているか否か判定する。
Ｓ８．ステップＳ７で、呼設定信号を送信してきた固定電話機の番号が保存されていないと判定した場合（Ｎｏ）には、当該固定電話機がワン切り行為をしている恐れがあるので、発信してきた固定電話機の番号を保存する。
【０１０３】
Ｓ９．ステップＳ７で、呼設定信号を送信してきた固定電話機の番号が保存されていると判定した場合（Ｙｅｓ）と、ステップＳ８の処理を終了した後で、当該固定電話機が送信してきた呼設定信号に続く呼処理信号の中継を停止して、ステップＳ１０にジャンプして、以降の処理を継続する。
Ｓ１５．一方、ステップＳ１０で、当該固定電話機から応答確認信号を受信したと判定した場合（Ｙｅｓ）には、解放完了信号より前に応答確認信号を受信したのは正常な電話である可能性があるとして、この時のカウンタのカウント値が２以下であるか否か判定する。
【０１０４】
ここで、カウント値が２以下であるか否か判定するのは既述の通りである。
そして、カウント値が３超であると判定した場合には処理を終了する。これは、カウント値が２超の時にはステップＳ９で呼処理信号の中継を停止しているので、カウント値が２超の時に応答確認信号を受信する筈がないからである。
Ｓ１６．ステップＳ１５で、カウンタのカウント値が２以下であると判定した場合（Ｙｅｓ）には、ワン切り電話の可能性を否定できるので、補助タイマ及び加算メモリをクリアし、
Ｓ１７．正常な通話に課金するための主タイマを起動する。
【０１０５】
Ｓ１８．当該固定電話機から解放完了信号を受信したか否か判定する。
当該固定電話機から解放完了信号を受信しなかったと判定した場合（Ｎｏ）には、上記監視を継続する。
Ｓ１９．ステップＳ１８で、当該固定電話機から解放完了信号を受信したと判定した場合（Ｙｅｓ）には、通話が完了したので主タイマを停止する。
【０１０６】
Ｓ２０．主タイマが計測した時間に対応して当該固定電話機に課金する。これは、正常な通話に対する課金である。
Ｓ２９．発信していた固定電話機の番号が保存されているか否か判定する。
Ｓ３０．ステップＳ２９で、発信していた固定電話機の番号が保存されていたと判定した場合（Ｙｅｓ）には、当該発信固定電話機の番号を抹消する。
【０１０７】
これは、一旦ワン切り業者として番号を保存されたものの、当該ワン切り業者が番号を変更し、善意の加入者に再交付されるというケースを想定したもので、これまでに説明した経緯から正常に電話していると判断されるために、保存されていた番号を抹消するものである。
Ｓ２１．ステップＳ２９で、発信した固定電話機の番号が保存されていないと判定された場合（Ｎｏ）と、ステップＳ３０の処理を終了した後、主タイマ及びカウンタをクリアして一連の処理を終了する。
【０１０８】
Ｓ２８．更に、ステップＳ３で、補助タイマがタイムアウトしたと判定した場合（Ｙｅｓ）には、カウンタのカウント値が２以下であるか否か判定する。
ここで、カウント値が２以下であるか否か判定するのは既述の通りである。
従って、カウント値が２以下であると判定した場合（Ｙｅｓ）には、処理を終了する。
【０１０９】
そして、カウント値が２超であると判定した場合（Ｎｏ）には、ステップＳ２４に移行して、既に説明した処理と同じ処理を行なう。
ここで、ステップＳ１５でカウント値が２超検出の後は形式的に処理を終了させ、ステップＳ２２及びステップＳ２３を省略してよいことは図２の処理と同じである。
【０１１０】
即ち、図４の処理は図３の処理に対して、発信番号が保存されていても、正常に電話したと判断される場合には記憶されていた発信番号を抹消する機能を追加したものである。
これにより、着信先電話機に着信履歴を残すだけの目的で短時間で切断を行なう悪意の加入者の悪意の発信行為を課金することができて、該悪意の加入者の意図を封ずることができ、正常な発信行為を行う善意の加入者に不利益を被らせることがなく、善意の加入者に対してワン切り電話を着信させる件数を非常に少なくでき、ワン切り行為から善意の加入者を完全に近く守ることができる上に、善意の加入者がワン切り業者として登録されてもそれを抹消することができる。ただ、ワン切り業者がワン切り電話以外の電話をかけた場合にはワン切り業者である旨の記録が抹消されるということにつながるので、さらに厳密には、ワン切り業者の電話番号が更新されていないことを加味して保存されていた発信番号を抹消するのが好ましい。
【０１１１】
図５は、本発明の第二の実施の形態で、発信局に設置されている交換装置が発信側の固定電話機から受ける応答確認信号と切断信号の前後関係から、ワン切り電話と正常な電話を区別して課金するものである。以降、図５の符号に沿って説明する。
Ｓ５２．収容している固定電話機から呼設定信号を受信したか否か判定する。
【０１１２】
呼設定信号を受信しなかった場合（Ｎｏ）には、上記監視を継続する。
Ｓ５５．ステップＳ５２で、固定電話機から呼設定信号を受信したと判定した場合（Ｙｅｓ）には、ワン切り電話であることも想定して、ワン切り電話に課金するための補助タイマを起動する。
Ｓ５９．当該固定電話機から応答確認信号を受信したか否か判定する。
【０１１３】
Ｓ６０．ステップＳ５９で、当該固定電話機から応答確認信号を受信しなかったと判定した場合（Ｎｏ）には、当該固定電話機から切断信号図では、ＤＩＳＣと記載している。以降も、図では同様に記載する。）を受信したか否か判定する。
当該固定電話機から切断信号を受信しなかったと判定した場合（Ｎｏ）には、ステップＳ５９にジャンプして以降の処理を継続する。
【０１１４】
Ｓ６１．ステップＳ６０で、切断信号を受信したと判定した場合（Ｙｅｓ）には、応答確認信号の受信より前に切断信号を受信することは異常であり、ワン切り電話であることを否定できないので、切断信号に対する処理を留保する。切断信号に対する処理を留保するので、着信側の交換装置及び移動電話機では呼処理が行なわれて、着信側からアドレス完了メッセージ又は呼経過表示信号が転送されてくる。
【０１１５】
Ｓ６２．着信側からアドレス完了メッセージ又は呼経過表示信号が転送されてきたか否か判定する。
着信側からアドレス完了メッセージ又は呼経過表示信号が転送されてこなかったと判定した場合（Ｎｏ）には、上記監視を継続する。
Ｓ６３．ステップＳ６２で、着信側からアドレス完了メッセージ又は呼経過表示信号が転送されてきたと判定した場合（Ｙｅｓ）には、実施を留保した切断信号に続く処理を実施する。
【０１１６】
Ｓ６４．固定電話機から解放完了信号を受信したか否か判定する。
解放完了信号を受信しなかったと判定した場合（Ｎｏ）には、上記監視を継続する。
Ｓ６５．ステップＳ６４で、固定電話機から解放完了信号を受信したと判定した場合（Ｙｅｓ）には、補助タイマを停止する。
【０１１７】
Ｓ６６．補助タイマが計測した時間に対応して発信した固定電話機に課金する。
Ｓ６７．補助タイマをクリアして処理を終了する。
Ｓ６９．一方、ステップＳ５９で、当該固定電話機から応答確認信号を受信したと判定した場合（Ｙｅｓ）には、解放完了信号より前に応答確認信号を受信したのは正常な電話であるとして、補助タイマ及び加算メモリをクリアし、
Ｓ７０．正常な通話に課金するための主タイマを起動する。
【０１１８】
Ｓ７１．当該固定電話機から解放完了信号を受信したか否か判定する。
当該固定電話機から解放完了信号を受信しなかったと判定した場合（Ｎｏ）には、上記監視を継続する。
Ｓ７２．ステップＳ７１で、当該固定電話機から解放完了信号を受信したと判定した場合（Ｙｅｓ）には、通話が完了したので主タイマを停止する。
【０１１９】
Ｓ７３．主タイマが計測した時間に対応して当該固定電話機に課金する。これは、正常な通話に対する課金である。
Ｓ７４．主タイマをクリアして一連の処理を終了する。
即ち、本発明の第二の実施の形態の交換装置は、収容する電話機からの呼設定信号を受信した時に補助タイマを起動し、該電話機から応答確認信号を受信する前に該電話機から切断信号を受信した場合には、一旦該切断信号に対する処理を留保し、該呼設定信号に対応する着信側の電話機からの応答を受信した時に該切断信号に対する処理を実施し、該電話機から解放完了信号を受信する迄に該補助タイマが計測した時間に対応して該電話機に対して課金し、該電話機から正常に応答確認信号を受信した場合には、該補助タイマをクリアすると共に、主タイマを起動して該電話機から正常に解放完了信号を受信する迄に該主タイマが計測した時間に対応して該電話機に対して課金することを特徴とする交換装置である。
【０１２０】
そして、上記交換装置は、収容する電話機からの発信を検出した時に補助タイマを起動し、該電話機から応答確認信号を受信する前に該電話機から切断信号を受信した場合には該切断信号に対する処理を留保し、該呼設定信号に対応する着信側の電話機からの応答を受信した時に該切断信号に対する処理を実施し、該電話機から解放完了信号を受信する迄に該補助タイマが計測した時間に対応して該電話機に対して課金するので、着信先電話機に着信履歴を残すだけの目的で短時間で切断を行なう悪意の加入者の悪意の発信行為を課金することができて、該悪意の加入者の意図を封ずることができ、又、該電話機から正常に応答確認信号を受信した場合には主タイマを起動して通話時間を計測し、該通話時間に対応して該電話機に対して課金するので、正常な発信行為を行う善意の加入者の通信を妨害することがない。
【０１２１】
ただ、善意の加入者が電話しようとして番号入力のプッシュ・ボタンを操作した直後に切断のプッシュ・ボタンを押すという誤操作をした場合にも、一旦停止して再開した切断信号に続く処理に基づく解放完了信号の受信迄の時間に対して課金するという恐れがある。これを防止することが可能なのが以降に説明する本発明の第二の実施の形態の第一の変形である。
【０１２２】
図６は、本発明の第二の実施の形態の第一の変形で、発信局に設置されている交換装置が発信側の固定電話機から受ける応答確認信号と切断信号の前後関係から、ワン切り電話と正常な電話を区別して課金することを基本とする上に、発信加入者の誤操作を救済するものである。以降、図６の符号に沿って説明する。
Ｓ５１．呼設定信号の受信をカウントするカウンタ（カウント値をＮとする。）を初期化する。
【０１２３】
Ｓ５２．収容している固定電話機から呼設定信号を受信したか否か判定する。
Ｓ５３．ステップＳ５２で、呼設定信号を受信しなかったと判定した場合（Ｎｏ）には、補助タイマがタイムアウトしたか否か判定する。
今は、未だ呼設定信号を受信しておらず、タイムアウトを検出できないので、ステップＳ５２に移行する。
【０１２４】
そして、補助タイマのタイムアウトの意味は図２で説明した通りである。
Ｓ５４．ステップＳ５２で、収容している固定電話機から呼設定信号を受信したと判定した場合（Ｙｅｓ）には、カウンタのカウント値を歩進する。
Ｓ５５．ワン切り電話であることも想定して、ワン切り電話に課金するための補助タイマを起動する。
【０１２５】
Ｓ５９．当該固定電話機から応答確認信号を受信したか否か判定する。
Ｓ６０．ステップＳ５９で、当該固定電話機から応答確認信号を受信しなかったと判定した場合（Ｎｏ）には、当該固定電話機から切断信号を受信したか否か判定する。
当該固定電話機から切断信号を受信しなかったと判定した場合（Ｎｏ）には、ステップＳ５９にジャンプして以降の処理を継続する。
【０１２６】
Ｓ６１．ステップＳ６０で、切断信号を受信したと判定した場合（Ｙｅｓ）には、応答確認信号の受信より前に切断信号を受信することは異常であり、ワン切り電話であることを否定できないので、切断信号に対する処理を留保する。切断信号に対する処理を留保するので、着信側の交換装置及び移動電話機では呼処理が行なわれて、着信側からアドレス完了メッセージ又は呼経過表示信号が転送されてくる。
【０１２７】
Ｓ６２．着信側からアドレス完了メッセージ又は呼経過表示信号が転送されてきたか否か判定する。
着信側からアドレス完了メッセージ又は呼経過表示信号が転送されてこなかったと判定した場合（Ｎｏ）には、上記監視を継続する。
Ｓ６３．ステップＳ６２で、着信側からアドレス完了メッセージ又は呼経過表示信号が転送されてきたと判定した場合（Ｙｅｓ）には、実施を留保した切断信号に続く処理を実施する。
【０１２８】
Ｓ６４．固定電話機から解放完了信号を受信したか否か判定する。
解放完了信号を受信しなかったと判定した場合（Ｎｏ）には、上記監視を継続する。
Ｓ６５．ステップＳ６４で、固定電話機から解放完了信号を受信したと判定した場合（Ｙｅｓ）には、補助タイマを停止する。
【０１２９】
Ｓ６６．補助タイマが計測した時間を加算メモリに加算する。
Ｓ６７．補助タイマをクリアして処理を終了する。
Ｓ６８．一方、ステップＳ５９で、当該固定電話機から応答確認信号を受信したと判定した場合（Ｙｅｓ）には、カウンタのカウント値が２以下であるか否か判定する。
【０１３０】
この判定を行なう理由は図２の説明で記載した通りである。
Ｓ６９．ステップＳ６８で、カウンタのカウント値が２以下であると判定した場合（Ｙｅｓ）には、切断信号より前に応答確認信号を受信したのは正常な電話であるとして、補助タイマ及び加算メモリをクリアし、
Ｓ７０．正常な通話に課金するための主タイマを起動する。
【０１３１】
Ｓ７１．当該固定電話機から解放完了信号を受信したか否か判定する。
当該固定電話機から解放完了信号を受信しなかったと判定した場合（Ｎｏ）には、上記監視を継続する。
Ｓ７２．ステップＳ１８で、当該固定電話機から解放完了信号を受信したと判定した場合（Ｙｅｓ）には、通話が完了したので主タイマを停止する。
【０１３２】
Ｓ７３．主タイマが計測した時間に対応して当該固定電話機に課金する。これは、正常な通話に対する課金である。
Ｓ７４．主タイマをクリアして一連の処理を終了する。
Ｓ７５．一方、ステップＳ６８で、カウンタのカウント値が２超であると判定した場合（Ｎｏ）には、主タイマを起動する。そして、省略しているが、解放完了信号を待って主タイマを停止する。
【０１３３】
Ｓ７６．主タイマの計測値に対応して通話時間に課金する。
Ｓ７７．ところで、この時には補助タイマが時間を計測し続けているので、補助タイマを停止する。
Ｓ７８．停止した時の補助タイマの計測値を加算メモリに加算する。
Ｓ７９．加算メモリの加算値に対応して、異常とみられる発信行為に対して課金する。
【０１３４】
Ｓ８０．補助タイマ、加算メモリ、主タイマ及びカウンタをクリアして一連の処理を終了する。
Ｓ８１．更に、ステップＳ５３で、補助タイマがタイムアウトしたと判定した場合（Ｙｅｓ）には、カウンタのカウント値が２以下であるか否か判定する。
ここで、カウント値が２以下であるか否か判定するのは既述の通りである。
【０１３５】
そして、カウント値が２以下であると判定した場合（Ｙｅｓ）には、処理を終了する。
そして、カウント値が２超であると判定した場合にはステップＳ７７にジャンプして、以降の処理を行なう。
さて、ワン切り業者がワン切り行為を止める時のことに思いを致すと、ステップＳ６８でカウント値が２超であると判定した場合には処理を終了させ、ステップＳ７５及びステップＳ７６を省略できることは図２で説明したのと同じである。
【０１３６】
従って、図６の処理は図５の処理に対して、呼設定信号の受信回数をカウンタにより計数すると共に、補助タイマを起動して該呼設定信号の受信の度に該補助タイマの計測値を加算メモリに加算してゆき、応答確認信号を受信した時に該カウンタの計数値が所定値以下であった場合には、該補助タイマ及び該加算メモリをクリアし、主タイマが解放完了信号を受信する迄に計測した時間に対応して該電話機に課金し、先行した呼設定信号後の時間が所定値超となった場合で、該応答確認信号を受信した時に該カウンタの計数値が所定値超となった場合には、該加算メモリの加算値に対応して課金するという機能を追加したものである。
【０１３７】
これにより、着信先電話機に着信履歴を残すだけの目的で短時間で切断を行なう悪意の加入者の悪意の発信行為を課金することができて、該悪意の加入者の意図を封ずることができ、正常な発信行為を行う善意の加入者に不利益を被らせることがない。
図７は、本発明の第二の実施の形態の第二の変形で、発信局に設置されている交換装置が発信側の固定電話機から受ける応答確認信号と切断信号の前後関係から、ワン切り電話と正常な電話を区別して課金することを基本とし、発信加入者の誤操作を救済する上に、ワン切り行為であると認められる場合には呼設定信号に続く呼処理信号の中継を停止するものである。以降、図７の符号に沿って説明する。
【０１３８】
Ｓ５１．呼設定信号の受信をカウントするカウンタ（カウント値をＮとする。）を初期化する。
Ｓ５２．収容している固定電話機から呼設定信号を受信したか否か判定する。
Ｓ５３．ステップＳ５２で、呼設定信号を受信しなかったと判定した場合（Ｎｏ）には、補助タイマがタイムアウトしたか否か判定する。
【０１３９】
今は、未だ呼設定信号を受信しておらず、タイムアウトを検出できないので、ステップＳ５２に移行する。
そして、補助タイマのタイムアウトの意味は既述の通りである。
Ｓ５４．ステップＳ５２で、収容している固定電話機から呼設定信号を受信したと判定した場合（Ｙｅｓ）には、カウンタのカウント値を歩進する。
【０１４０】
Ｓ８２．カウンタのカウント値が２以下であるか否か判定する。
これは、カウント値が２以下であればワン切り電話の可能性が低く、２超であればワン切り電話の可能性が高いと考えて行う判定である。
Ｓ５５．ステップＳ８２で、カウント値が２以下であると判定した場合（Ｙｅｓ）には、ワン切り電話であることも想定して、ワン切り電話に課金するための補助タイマを起動する。
【０１４１】
Ｓ５９．当該固定電話機から応答確認信号を受信したか否か判定する。
Ｓ６０．ステップＳ５９で、当該固定電話機から応答確認信号を受信しなかったと判定した場合（Ｎｏ）には、当該固定電話機から切断信号を受信したか否か判定する。
当該固定電話機から切断信号を受信しなかったと判定した場合（Ｎｏ）には、ステップＳ５９にジャンプして以降の処理を継続する。
【０１４２】
Ｓ６１．ステップＳ６０で、切断信号を受信したと判定した場合（Ｙｅｓ）には、応答確認信号の受信より前に切断信号を受信することは異常であり、ワン切り電話であることを否定できないので、切断信号に対する処理を留保する。切断信号に対する処理を留保するので、着信側の交換装置及び移動電話機では呼処理が行なわれて、着信側からアドレス完了メッセージ又は呼経過表示信号が転送されてくる。
【０１４３】
Ｓ６２．着信側からアドレス完了メッセージ又は呼経過表示信号が転送されてきたか否か判定する。
着信側からアドレス完了メッセージ又は呼経過表示信号が転送されてこなかったと判定した場合（Ｎｏ）には、上記監視を継続する。
Ｓ６３．ステップＳ６２で、着信側からアドレス完了メッセージ又は呼経過表示信号が転送されてきたと判定した場合（Ｙｅｓ）には、実施を留保した切断信号に続く処理を実施する。
【０１４４】
Ｓ６４．固定電話機から解放完了信号を受信したか否か判定する。
解放完了信号を受信しなかったと判定した場合（Ｎｏ）には、上記監視を継続する。
Ｓ６５．ステップＳ６４で、固定電話機から解放完了信号を受信したと判定した場合（Ｙｅｓ）には、補助タイマを停止する。
【０１４５】
Ｓ６６．補助タイマが計測した時間を加算メモリに加算する。
Ｓ６７．補助タイマをクリアして処理を終了する。
Ｓ５６．一方、ステップＳ８２で、カウント値が２超であると判定した場合（Ｎｏ）には、呼設定信号を送信してきた固定電話機の番号が保存されているか否か判定する。
【０１４６】
Ｓ５７．ステップＳ５６で、呼設定信号を送信してきた固定電話機の番号が保存されていないと判定した場合（Ｎｏ）には、当該固定電話機がワン切り行為をしている恐れがあるので、発信してきた固定電話機の番号を保存する。
Ｓ５８．ステップＳ５６で、呼設定信号を送信してきた固定電話機の番号が保存されていると判定した場合（Ｙｅｓ）と、ステップＳ５７の処理を終了した後で、当該固定電話機が送信してきた呼設定信号に続く呼処理信号の中継を停止して、ステップＳ５９にジャンプして、以降の処理を継続する。
【０１４７】
Ｓ６８．一方、ステップＳ５９で、当該固定電話機から応答確認信号を受信したと判定した場合（Ｙｅｓ）には、カウンタのカウント値が２以下であるか否か判定する。
この判定を行なう理由は図２の説明で記載した通りである。
Ｓ６９．ステップＳ６８で、カウンタのカウント値が２以下であると判定した場合（Ｙｅｓ）には、切断信号より前に応答確認信号を受信したのは正常な電話であるとして、補助タイマ及び加算メモリをクリアし、
Ｓ７０．正常な通話に課金するための主タイマを起動する。
【０１４８】
Ｓ７１．当該固定電話機から解放完了信号を受信したか否か判定する。
当該固定電話機から解放完了信号を受信しなかったと判定した場合（Ｎｏ）には、上記監視を継続する。
Ｓ７２．ステップＳ１８で、当該固定電話機から解放完了信号を受信したと判定した場合（Ｙｅｓ）には、通話が完了したので主タイマを停止する。
【０１４９】
Ｓ７３．主タイマが計測した時間に対応して当該固定電話機に課金する。これは、正常な通話に対する課金である。
Ｓ７４．主タイマをクリアして一連の処理を終了する。
Ｓ８１．更に、ステップＳ５３で、補助タイマがタイムアウトしたと判定した場合（Ｙｅｓ）には、カウンタのカウント値が２以下であるか否か判定する。
【０１５０】
ここで、カウント値が２以下であるか否か判定するのは既述の通りである。
そして、カウント値が２以下であると判定した場合（Ｙｅｓ）には、処理を終了する。
そして、カウント値が２超であると判定した場合にはステップＳ７７にジャンプして、図６で説明した処理と同じ処理を行なう。
【０１５１】
さて、ワン切り業者がワン切り行為を止める時のことに思いを致すと、ステップＳ６８でカウント値が２超検出の後は形式的に処理を終了させ、ステップＳ７５及びステップＳ７６を省略できることは図２で説明したのと同じである。
従って、図７の処理は図６の処理に対して、カウンタの計数値が所定値超になった時に、上記呼設定信号に設定されていた発信番号が保存されていた場合には、該呼設定信号を受けて行うべき呼処理信号の中継を停止し、該呼設定信号に設定されていた発信番号が保存されていなかった場合には、該発信番号を記憶すると共に、該呼設定信号を受けて行うべき呼処理信号の中継を停止する機能を追加したものである。
【０１５２】
これにより、着信先電話機に着信履歴を残すだけの目的で短時間で切断を行なう悪意の加入者の悪意の発信行為を課金することができて、該悪意の加入者の意図を封ずることができ、正常な発信行為を行う善意の加入者に不利益を被らせることがない。又、善意の加入者に対してワン切り電話を着信させる件数を非常に少なくでき、ワン切り行為から善意の加入者を完全に近く守ることができる。
【０１５３】
尚、図示と説明を省略するが、図７の処理に対して更に、ワン切り電話をしたとして保存されていた電話機がワン切り電話をしなかった場合には保存していた電話番号を抹消する機能を追加することも可能である。
図８は、本発明の第三の実施の形態で、発信局に設置されている交換装置が発信側の固定電話機から受ける応答確認信号と解放完了信号の前後関係から、ワン切り電話と正常な電話を区別して課金することを基本とし、発信加入者の誤操作を救済する上に、ワン切り行為であると認められない場合には補助タイマで計測した時間をクリアして時間計測を継続するものである。以降、図８の符号に沿って説明する。
【０１５４】
Ｓ１０１．呼設定信号の受信をカウントするカウンタ（カウント値をＮとする。）を初期化する。
Ｓ１０２．収容している固定電話機から呼設定信号を受信したか否か判定する。
呼設定信号を受信しなかった場合（Ｎｏ）には、上記監視を継続する。
【０１５５】
Ｓ１０３．ステップＳ１０２で、呼設定信号を受信しなかったと判定した場合（Ｎｏ）には、補助タイマがタイムアウトしたか否か判定する。
今は、未だ呼設定信号を受信しておらず、タイムアウトを検出できないので、ステップＳ１０２に移行する。
Ｓ１０４．ステップＳ１０２で、呼設定信号を受信したと判定した場合（Ｙｅｓ）には、カウンタのカウント値を歩進する。
【０１５６】
Ｓ１０５．カウンタのカウント値が１あるか否か判定する。
ここで、カウンタのカウント値が１であるか否かを判定する理由は下記の通りである。
即ち、この場合には、ワン切り電話の可能性がない場合には、補助タイマで計測した時間をクリアして時間計測を継続するために、初めて受信した呼設定信号に設定されていた受信電話機の番号と同じ番号が後続の呼設定信号に設定されていた時にはワン切り電話の可能性が低く、初めて受信した呼設定信号に設定されていた受信電話機の番号とと異なる番号が後続の呼設定信号に設定されていた時にはワン切り電話の可能性が高いと判定する。従って、初めて受信した呼設定信号であるか否かを区別するためにカウンタのカウント値が１であるか否かを判定するのである。
【０１５７】
Ｓ１０６．ステップＳ１０５で、カウント値が１であると判定した場合（Ｙｅｓ）には、ワン切り電話であることも想定して、ワン切り電話に課金するための補助タイマを起動する。
Ｓ１１３．当該固定電話機から応答確認信号を受信したか否か判定する。
Ｓ１１４．ステップＳ１１３で、当該固定電話機から応答確認信号を受信しなかったと判定した場合（Ｎｏ）には、当該固定電話機から解放完了信号を受信したか否か判定する。
【０１５８】
当該固定電話機から解放完了信号を受信しなかったと判定した場合（Ｎｏ）には、ステップＳ１１３にジャンプして以降の処理を継続する。
Ｓ１１５．ステップＳ１１４で、当該固定電話機から解放完了信号を受信したと判定した場合（Ｙｅｓ）には、応答確認信号を受信する前に解放完了信号を受信したのはワン切り電話である可能性が高いとして、ワン切り電話に対する課金の準備として、補助タイマを停止する。
【０１５９】
Ｓ１１６．停止した時の補助タイマの値を加算メモリに加算する。
Ｓ１１７．補助タイマをクリアしてステップＳ１０２にジャンプする。
Ｓ１０７．一方、ステップＳ１０５で、カウント値が１ではないと判定した場合（Ｎｏ）には、初めて受信した呼設定信号に設定されていた受信電話機の番号と異なる番号が設定されていたか否か判定する。
【０１６０】
初めて受信した呼設定信号に設定されていた受信電話機の番号と同じ番号が設定されていた場合（Ｎｏ）にはステップＳ１０６にジャンプする。
Ｓ１０８．ステップＳ１０７で、初めて受信した呼設定信号に設定されていた受信電話機の番号と異なる番号が設定されていた場合（Ｙｅｓ）には、発信加入者が誤操作をして再発信した可能性が高いので、加算メモリをクリアしてステップＳ１０６にジャンプする。
【０１６１】
Ｓ１１８．一方、ステップＳ１１３で、当該固定電話機から応答確認信号を受信したと判定した場合（Ｙｅｓ）には、解放完了信号より前に応答確認信号を受信したのは正常な電話である可能性があるとして、この時のカウンタのカウント値が２以下であるか否か判定する。
ここで、カウント値が２以下であるか否か判定するのは既述の通りである。
【０１６２】
Ｓ１１９．ステップＳ１１８で、カウンタのカウント値が２以下であると判定した場合（Ｙｅｓ）には、ワン切り電話の可能性を否定できるので、補助タイマ及び加算メモリをクリアし、
Ｓ１２０．正常な通話に課金するための主タイマを起動する。
Ｓ１２１．当該固定電話機から解放完了信号を受信したか否か判定する。
【０１６３】
当該固定電話機から解放完了信号を受信しなかったと判定した場合（Ｎｏ）には、上記監視を継続する。
Ｓ１２２．ステップＳ１２１で、当該固定電話機から解放完了信号を受信したと判定した場合（Ｙｅｓ）には、通話が完了したので主タイマを停止する。
Ｓ１２３．主タイマが計測した時間に対応して当該固定電話機に課金する。
【０１６４】
これは、正常な通話に対する課金である。
Ｓ１２４．主タイマ及びカウンタをクリアして一連の処理を終了する。
Ｓ１２５．一方、ステップＳ１１８で、カウンタのカウント値が２超であると判定した場合（Ｎｏ）には、主タイマを起動する。そして、省略しているが、解放完了信号を待って主タイマを停止する。
【０１６５】
Ｓ１２６．主タイマの計測値に対応して通話時間に課金する。
Ｓ１２７．ところで、この時には補助タイマが時間を計測し続けているので、補助タイマを停止する。
Ｓ１２８．停止した時の補助タイマの計測値を加算メモリに加算する。
Ｓ１２９．加算メモリの加算値に対応して、異常とみられる発信行為に対して課金する。
【０１６６】
Ｓ１３０．補助タイマ、主タイマ及びカウンタをクリアして一連の処理を終了する。
Ｓ１３１．更に、ステップＳ１０３で、補助タイマがタイムアウトしたと判定した場合（Ｙｅｓ）には、カウンタのカウント値が２以下であるか否か判定する。
【０１６７】
ここで、カウント値が２以下であるか否か判定するのは既述の通りである。
従って、カウント値が２以下であると判定した場合（Ｙｅｓ）には、処理を終了する。
そして、カウント値が２超であると判定した場合にはステップＳ１２７に移行して、以降の処理を行なう。
【０１６８】
ここで、ステップＳ１１８でカウント値が２超であった場合には処理を終了し、ステップＳ１２５及びステップＳ１２６を省略してよいことは図２の処理と同じである。
即ち、本発明の第三の実施の形態は、収容する電話機からの呼設定信号の受信回数をカウンタにより計数すると共に、補助タイマを起動し、該電話機から応答確認信号を受信する前に該電話機から解放完了信号を受信した場合には、該補助タイマが該解放完了信号受信迄に計測した時間を加算メモリに記録し、後続する呼設定信号に設定されている受信電話機番号が、初めての呼設定信号に設定されていた受信電話機番号と同じ場合には、該加算メモリをクリアし、後続する呼設定信号に設定されている受信電話機番号が、初めての呼設定信号に設定されていた受信電話機番号とは異なる場合には、該加算メモリへの加算を継続し、上記応答確認信号を受信した時に該カウンタの計数値が所定値以下であった場合には、該補助タイマ及び該加算メモリをクリアし、上記主タイマによって解放完了信号を受信する迄に計測した時間に対応して課金し、先行した呼設定信号後の時間が所定値超となった場合で、該応答確認信号を受信した時に該カウンタの計数値が所定値超となった場合には、該加算メモリの加算値に対応して課金することを特徴とする交換装置である。
【０１６９】
従って、初めての呼設定信号に設定されていた受信端末とは異なる場合には、該加算メモリを一旦クリアして該補助タイマが計測した値を該加算メモリに記録し、上記主タイマによって解放完了信号を受信するまでの時間を計測し、計測値に対応して課金するので、善意の加入者が発信操作を誤った場合でも不利益な課金を課金されず、先行した呼設定信号後の時間が所定値超となった場合で、該カウンタの計数値が所定値超となった場合には、該加算メモリの加算値に対応して課金するので、着信先電話機に着信履歴を残すだけの目的で短時間で切断を行なう悪意の加入者の悪意の発信行為を課金することができて、該悪意の加入者の意図を封ずることができる。しかも、初めての呼設定信号に設定されていた受信番号と同じか否かを判定するので、ワン切り電話であるか否かを正確に判定することができる。
【０１７０】
図９は、本発明の第三の実施の形態の変形で、発信局に設置されている交換装置が発信側の固定電話機から受ける応答確認信号と解放完了信号の前後関係から、ワン切り電話と正常な電話を区別して課金することを基本とし、発信加入者の誤操作を救済し、ワン切り行為であると認められない場合には補助タイマで計測した時間をクリアして時間計測を継続する上に、ワン切り業者の可能性が高いと判った時には呼設定信号に続く呼処理信号の中継を停止するものである。以降、図９の符号に沿って説明する。
【０１７１】
Ｓ１０１．呼設定信号の受信をカウントするカウンタ（カウント値をＮとする。）を初期化する。
Ｓ１０２．収容している固定電話機から呼設定信号を受信したか否か判定する。
呼設定信号を受信しなかった場合（Ｎｏ）には、上記監視を継続する。
【０１７２】
Ｓ１０３．ステップＳ１０２で、呼設定信号を受信しなかったと判定した場合（Ｎｏ）には、補助タイマがタイムアウトしたか否か判定する。
今は、未だ呼設定信号を受信しておらず、タイムアウトを検出できないので、ステップＳ１０２に移行する。
Ｓ１０４．ステップＳ１０２で、呼設定信号を受信したと判定した場合（Ｙｅｓ）には、カウンタのカウント値を歩進する。
【０１７３】
Ｓ１０５．カウンタのカウント値が１あるか否か判定する。
ここで、カウンタのカウント値が１であるか否かを判定する理由は既述の通りである。
Ｓ１０６．ステップＳ１０５で、カウント値が１であると判定した場合（Ｙｅｓ）には、ワン切り電話であることも想定して、ワン切り電話に課金するための補助タイマを起動する。
【０１７４】
Ｓ１１３．当該固定電話機から応答確認信号を受信したか否か判定する。
Ｓ１１４．ステップＳ１１３で、当該固定電話機から応答確認信号を受信しなかったと判定した場合（Ｎｏ）には、当該固定電話機から解放完了信号を受信したか否か判定する。
当該固定電話機から解放完了信号を受信しなかったと判定した場合（Ｎｏ）には、ステップＳ１１３にジャンプして以降の処理を継続する。
【０１７５】
Ｓ１１５．ステップＳ１１４で、当該固定電話機から解放完了信号を受信したと判定した場合（Ｙｅｓ）には、応答確認信号を受信する前に解放完了信号を受信したのはワン切り電話である可能性が高いとして、ワン切り電話に対する課金の準備として、補助タイマを停止する。
Ｓ１１６．停止した時の補助タイマの値を加算メモリに加算する。
【０１７６】
Ｓ１１７．補助タイマをクリアしてステップＳ１０２にジャンプする。
Ｓ１０７．一方、ステップＳ１０５で、カウント値が１ではないと判定した場合（Ｎｏ）には、初めて受信した呼設定信号に設定されていた受信電話機の番号と異なる番号が設定されていたか否か判定する。
Ｓ１０９．ステップＳ１０７で、初めて受信した呼設定信号に設定されていた受信電話機の番号と異なる番号が設定されていたと判定した場合（Ｙｅｓ）には、当該発信電話機の番号が保存されているか否か判定する。
【０１７７】
Ｓ１１０．ステップＳ１０９で、当該発信電話機の番号が保存されていなかった場合（Ｎｏ）には、当該発信電話機の番号を保存する。
Ｓ１１１．ステップＳ１０９で、当該発信電話機の番号が保存されていると判定した場合（Ｙｅｓ）と、ステップＳ１１０の処理を終了した後、カウンタのカウント値が２超であるか否か判定する。
【０１７８】
２超であればワン切り電話の可能性が高く、２以下の場合はワン切り電話の可能性が低いと判断されるからである。
２超ではない場合（Ｎｏ）には、ステップＳ１１３にジャンプする。
Ｓ１１２．ステップＳ１１１で、２超であると判定した場合（Ｙｅｓ）には、呼処理信号の中継を停止して、ステップＳ１１３にジャンプする。
【０１７９】
Ｓ１０８．ステップＳ１０７で、初めて受信した呼設定信号に設定されていた受信電話機の番号と異なる番号が設定されていた場合（Ｎｏ）には、発信加入者が誤操作をして再発信した可能性が高いので、加算メモリをクリアしてステップＳ１０６にジャンプする。
Ｓ１１８．一方、ステップＳ１１３で、当該固定電話機から応答確認信号を受信したと判定した場合（Ｙｅｓ）には、解放完了信号より前に応答確認信号を受信したのは正常な電話である可能性があるとして、この時のカウンタのカウント値が２以下であるか否か判定する。
【０１８０】
ここで、カウント値が２以下であるか否か判定するのは既述の通りである。
Ｓ１１９．ステップＳ１１８で、カウンタのカウント値が２以下であると判定した場合（Ｙｅｓ）には、ワン切り電話の可能性を否定できるので、補助タイマをクリアし、
Ｓ１２０．正常な通話に課金するための主タイマを起動する。
【０１８１】
Ｓ１２１．当該固定電話機から解放完了信号を受信したか否か判定する。
当該固定電話機から解放完了信号を受信しなかったと判定した場合（Ｎｏ）には、上記監視を継続する。
Ｓ１２２．ステップＳ１２１で、当該固定電話機から解放完了信号を受信したと判定した場合（Ｙｅｓ）には、通話が完了したので主タイマを停止する。
【０１８２】
Ｓ１２３．主タイマが計測した時間に対応して当該固定電話機に課金する。
これは、正常な通話に対する課金である。
Ｓ１２４．主タイマ及びカウンタをクリアして一連の処理を終了する。
Ｓ１３２．一方、ステップＳ１１８で、カウンタのカウント値が２超であると判定した場合（Ｎｏ）には、呼処理信号の中継を停止中か否か判定する。
【０１８３】
ここで、呼処理信号の中継を停止中か否か判定するのは、ステップＳ１０７で、受信端末が同じであると判定した場合には、加算メモリをクリアして以降の処理を行なっている一方、受信端末が異なると判定した場合には結局呼処理信号の中継を停止して以降の処理を行なっているので、ステップＳ１１８でカウント値が２超になった時に、呼処理信号の中継をしている場合と停止している場合とがあることによる。
【０１８４】
そして、停止中（Ｙｅｓ）であれば、カウント値が２超でステップＳ１１３で応答確認信号を検出する筈がないので、形式的に処理を終了させる。
Ｓ１２５．ステップＳ１３２で、停止中でない場合（Ｎｏ）には、主タイマを起動する。そして、省略しているが、解放完了信号を待って主タイマを停止する。
【０１８５】
Ｓ１２６．主タイマの計測値に対応して通話時間に課金する。
Ｓ１２７．ところで、この時には補助タイマが時間を計測し続けているので、補助タイマを停止する。
Ｓ１２８．停止した時の補助タイマの計測値を加算メモリに加算する。
Ｓ１２９．加算メモリの加算値に対応して、異常とみられる発信行為に対して課金する。
【０１８６】
Ｓ１３０．補助タイマ、主タイマ及びカウンタをクリアして一連の処理を終了する。
Ｓ１３１．更に、ステップＳ１０３で、補助タイマがタイムアウトしたと判定した場合（Ｙｅｓ）には、カウンタのカウント値が２以下であるか否か判定する。
【０１８７】
ここで、カウント値が２以下であるか否か判定するのは既述の通りである。
従って、カウント値が２以下であると判定した場合（Ｙｅｓ）には、処理を終了する。
そして、カウント値が２超であると判定した場合にはステップＳ１２７に移行して、以降の処理を行なう。
【０１８８】
ここで、ステップＳ１１８でカウント値が２超であった場合には処理を終了し、ステップＳ１２５及びステップＳ１２６を省略してよいことは図２の処理と同じである。
即ち、図９の処理は図８の処理に対して、ワン切り業者の可能性が高いと判った時には呼設定信号に続く呼処理信号の中継を停止する機能を追加したものである。
【０１８９】
これにより、着信先電話機に着信履歴を残すだけの目的で短時間で切断を行なう悪意の加入者の悪意の発信行為を課金することができて、該悪意の加入者の意図を封ずることができ、正常な発信行為を行う善意の加入者に不利益を被らせることがない。又、善意の加入者に対してワン切り電話を着信させる件数を非常に少なくでき、ワン切り行為から善意の加入者を完全に近く守ることができる。
【０１９０】
尚、図示と説明を省略するが、図９の処理に対して更に、ワン切り電話をしたとして保存されていた電話機がワン切り電話をしなかった場合には保存していた電話番号を抹消する機能を追加することも可能である。
さて、上では、発信側の電話機を固定電話機とし、着信側の電話機を移動電話機として説明してきた。これは、現状で着信履歴を記録する機能を１００％が有するのは移動電話機で、固定電話機で着信履歴を記録する機能を有するのは比較的少ないために、ワン切り行為の対象になるのが移動電話機であるという事実と、ワン切り行為を行うには乱数発生装置に接続された電話機から発信することが必要であることから、固定電話機が発信元になるという事実を考慮したものである。
【０１９１】
しかし、固定電話機における着信履歴記録機能が普及すれば固定電話機がワン切り行為の対象になりうるし、移動電話機を乱数発生装置に接続してワン切り行為をするということも技術的には可能である。そして、移動網に適用される交換装置であれ、固定網に適用される交換装置であれ、呼処理機能は統一されているので、上記本発明の処理を実現することができる。従って、発信側の電話機を固定電話機に限定し、着信側の電話機を移動電話機に限定する必要は全くない。
【０１９２】
（付記１）  収容する電話機からの呼設定信号を検出した時に補助タイマを起動し、
該電話機から応答確認信号を受信する前に該電話機から解放完了信号を受信した場合には、
該解放完了信号を受信する迄に該補助タイマが計測した時間に対応して該電話機に対して課金し、
該電話機から正常に応答確認信号を受信した場合には、
該補助タイマをクリアすると共に、主タイマを起動して該電話機から正常に解放完了信号を受信する迄に該主タイマが計測した時間に対応して該電話機に対して課金する
ことを特徴とする交換装置。
【０１９３】
（付記２）  収容する電話機からの呼設定信号を受信した時に補助タイマを起動し、
該電話機から応答確認信号を受信する前に該電話機から切断信号を受信した場合には、
一旦該切断信号に対する処理を留保し、該呼設定信号に対応する着信側の電話機からの応答を受信した時に該切断信号に対する処理を実施し、
該電話機から解放完了信号を受信する迄に該補助タイマが計測した時間に対応して該電話機に対して課金し、
該電話機から正常に応答確認信号を受信した場合には、
該補助タイマをクリアすると共に、主タイマを起動して該電話機から正常に解放完了信号を受信する迄に該主タイマが計測した時間に対応して該電話機に対して課金する
ことを特徴とする交換装置。
【０１９４】
（付記３）  付記１又は付記２のいずれかに記載の交換装置であって、
上記呼設定信号の受信回数をカウンタにより計数すると共に、補助タイマを起動して該呼設定信号の受信の度に該補助タイマの計測値を加算メモリに加算してゆき、
上記応答確認信号を受信した時に該カウンタの計数値が所定値以下であった場合には、
該補助タイマ及び該加算メモリをクリアし、上記主タイマが解放完了信号を受信する迄に計測した時間に対応して該電話機に課金し、
先行した呼設定信号後に該補助タイマが計測した時間が所定値超となった場合で、該カウンタの計数値が所定値超となった場合には、
該加算メモリの加算値に対応して課金する
ことを特徴とする交換装置。
【０１９５】
（付記４）  収容する電話機からの呼設定信号の受信回数をカウンタにより計数すると共に、補助タイマを起動し、
該電話機から応答確認信号を受信する前に該電話機から解放完了信号を受信した場合には、該補助タイマが該解放完了信号受信迄に計測した時間を加算メモリに記録し、
後続する呼設定信号に設定されている受信電話機番号が、初めての呼設定信号に設定されていた受信電話機番号と同じ場合には、
該加算メモリをクリアし、
後続する呼設定信号に設定されている受信電話機番号が、初めての呼設定信号に設定されていた受信電話機番号とは異なる場合には、
該加算メモリへの加算を継続し、
上記応答確認信号を受信した時に該カウンタの計数値が所定値以下であった場合には、
該補助タイマ及び該加算メモリをクリアし、上記主タイマによって解放完了信号を受信する迄に計測した時間に対応して課金し、
先行した呼設定信号後に該補助タイマが計測した時間が所定値超となった場合で、該カウンタの計数値が所定値超となった場合には、
該加算メモリの加算値に対応して課金することを特徴とする交換装置。
【０１９６】
（付記５）  付記３又は付記４のいずれかに記載の交換装置であって、
上記カウンタの計数値が所定値超になった時に、
上記呼設定信号に設定されていた発信番号が保存されていた場合には、
該呼設定信号を受けて行うべき呼処理信号の中継を停止し、
該呼設定信号に設定されていた発信番号が保存されていなかった場合には、  該発信番号を保存すると共に、該呼設定信号を受けて行うべき呼処理信号の中継を停止する
ことを特徴とする交換装置。
【０１９７】
（付記６）  付記５に記載の交換装置であって、
上記応答確認信号を受信した時に上記カウンタの計数値が所定値以下であった場合には、
該補助タイマ及び該加算メモリをクリアし、上記主タイマによって解放完了信号を受信するまでの時間を計測し、計測値に対応して通話料金を課金すると共に、
保存されていた発信番号を抹消する
ことを特徴とする交換装置。
【０１９８】
【発明の効果】
以上詳述した如く、本発明により、着信先電話機に着信履歴を残すだけの目的で短時間で切断を行なって、発信と切断を多数回繰り返す悪意の加入者の悪意の発信行為に課金することができて、悪意の加入者が行うワン切り行為を防止できると共に、善意の加入者の通信を妨害することがない交換装置を実現することができる。
【０１９９】
即ち、第一の発明の交換装置は、収容する電話機からの発信を検出した時に補助タイマを起動し、該電話機から応答確認信号を受信する前に該電話機から解放完了信号を受信した場合には、該補助タイマが計測した時間に対応して該電話機に対して課金するので、着信先電話機に着信履歴を残すだけの目的で短時間で切断を行なう悪意の加入者の悪意の発信行為を課金することができて、該悪意の加入者の意図を封ずることができ、又、該電話機から正常に応答確認信号を受信した場合には主タイマを起動して通話時間を計測し、該通話時間に対応して該電話機に対して課金するので、正常な発信行為を行う善意の加入者の通信を妨害することがない。
【０２００】
又、第二の発明の交換装置は、収容する電話機からの発信を検出した時に補助タイマを起動し、該電話機から応答確認信号を受信する前に該電話機から切断信号を受信した場合には該切断信号に対する処理を留保し、該呼設定信号に対応する着信側の電話機からの応答を受信した時に該切断信号に対する処理を実施し、該電話機から解放完了信号を受信する迄に該補助タイマが計測した時間に対応して該電話機に対して課金するので、着信先電話機に着信履歴を残すだけの目的で短時間で切断を行なう悪意の加入者の悪意の発信行為を課金することができて、該悪意の加入者の意図を封ずることができ、又、該電話機から正常に応答確認信号を受信した場合には主タイマを起動して通話時間を計測し、該通話時間に対応して該電話機に対して課金するので、正常な発信行為を行う善意の加入者の通信を妨害することがない。
【０２０１】
又、第三の発明の交換装置は、該応答確認信号を受信した時に計数値が所定値以下であった場合には、該補助タイマ及び該加算メモリをクリアし、該主タイマによって解放完了信号を受信するまでの時間に対応して課金して課金するので、善意の加入者が発信操作を誤った場合でも不利益な課金を課金されず、先行した呼設定信号後の時間が所定値超となった場合で、該応答確認信号を受信した時に該カウンタの計数値が所定値超となった場合には、該加算メモリの加算値に対応して課金するので、着信先電話機に着信履歴を残すだけの目的で短時間で切断を行なう悪意の加入者の悪意の発信行為を課金することができて、該悪意の加入者の意図を封ずることができる。
【０２０２】
又、第四の発明の交換装置は、初めての呼設定信号に設定されていた受信端末とは異なる場合には、該加算メモリを一旦クリアして該補助タイマが計測した値を該加算メモリに記録し、上記主タイマによって解放完了信号を受信するまでの時間を計測し、計測値に対応して課金するので、善意の加入者が発信操作を誤った場合でも不利益な課金を課金されず、先行した呼設定信号後の時間が所定値超となった場合で、該応答確認信号を受信した時に該カウンタの計数値が所定値超となった場合には、該加算メモリの加算値に対応して課金するので、着信先電話機に着信履歴を残すだけの目的で短時間で切断を行なう悪意の加入者の悪意の発信行為を課金することができて、該悪意の加入者の意図を封ずることができる。しかも、初めての呼設定信号に設定されていた受信番号と同じか否かを判定するので、ワン切り電話であるか否かを正確に判定することができる。
【０２０３】
更に、第五の発明の交換装置は、上記計数値が所定値超になった時に、上記呼設定信号に設定されていた発信番号が記憶されていた場合には、呼処理信号の中継を停止し、上記呼設定信号に設定されていた発信番号が記憶されていなかった場合には、該発信番号を記憶すると共に呼処理信号の中継を停止するので、ワン切り電話であることが確実な発信を着信側の電話機に着信させることがなく、着信側の電話機に着信履歴を残すことを防止することができる。
【図面の簡単な説明】
【図１】本発明の第一の実施の形態。
【図２】本発明の第一の実施の形態の第一の変形。
【図３】本発明の第一の実施の形態の第二の変形。
【図４】本発明の第一の実施の形態の第三の変形。
【図５】本発明の第二の実施の形態。
【図６】本発明の第二の実施の形態の第一の変形。
【図７】本発明の第二の実施の形態の第二の変形。
【図８】本発明の第三の実施の形態。
【図９】本発明の第三の実施の形態の変形。
【図１０】従来の固定電話機、移動電話機間の呼処理シーケンス（その１）。
【図１１】従来の固定電話機、移動電話機間の呼処理シーケンス（その２）。
【図１２】従来の交換装置の処理のフローチャート。
【図１３】固定電話機、移動電話機間の通信システムのモデル。
【符号の説明】
１  固定電話機
２  発信局
３  中継局
４  着信局
５  ホーム・ロケーション・レジスタ
６  移動電話機
【図１】
2004179777.tif 000003
【図２】
2004179777.tif 000004
【図３】
2004179777.tif 000005
【図４】
2004179777.tif 000006
【図５】
2004179777.tif 000007
【図６】
2004179777.tif 000008
【図７】
2004179777.tif 000009
【図８】
2004179777.tif 000010
【図９】
2004179777.tif 000011
【図１０】
2004179777.tif 000012
【図１１】
2004179777.tif 000013
【図１２】
2004179777.tif 000014
【図１３】
2004179777.tif 000015